(57)【要約】      （修正有）【課題】複数の上りリンクの周波数帯域に対して送信タイミングの設定手順を効率的に実行する。【解決手段】上りリンクの送信タイミングの調整値の推定に用いられる系列の送信処理において、第一のタイプのセルで前記系列を送信した場合、前記系列の送信に対する応答として、前記系列に対応する識別子を示す情報と、前記系列を送信した前記第一のタイプのセルに対する前記調整値を示す情報を受信したら、前記系列の送信処理を終了し、前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を受信したら、前記系列の送信処理を終了し、前記系列を送信してから所定の期間の間に、前記系列の送信に対する応答を受信しなかったら、前記系列を再度送信する送信処理を行う。【選択図】図７
2013005130.tif 000002
【特許請求の範囲】
【請求項１】
第一のタイプのセルと第二のタイプのセルを用いて基地局装置と通信を行う移動局装置であって、
前記第一のタイプのセル、または前記第二のタイプのセルでの上りリンクの送信タイミングの調整値の推定に用いられる系列の送信処理において、
前記第一のタイプのセルで前記系列を送信した場合、前記系列の送信に対する応答として、前記系列に対応する識別子を示す情報と、前記系列を送信した前記第一のタイプのセルに対する前記調整値を示す情報を前記基地局装置より受信したら、前記系列の送信処理を終了し、
前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を前記基地局装置より受信したら、前記系列の送信処理を終了し、
前記系列を送信してから所定の期間の間に、前記系列の送信に対する応答を前記基地局装置より受信しなかったら、前記系列を再度送信する送信処理を行うことを特徴とする移動局装置。
【請求項２】
前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、
前記第二のタイプのセルに対する前記調整値は、前記系列の送信に対する応答に含まれる場合は前記第一のフォーマットが用いられ、それ以外の場合は前記第二のフォーマットが用いられることを特徴とする請求項１に記載の移動局装置。
【請求項３】
第一のタイプのセルと第二のタイプのセルを用いて移動局装置と通信を行う基地局装置であって、
前記第一のタイプのセル、または前記第二のタイプのセルでの上りリンクの送信タイミングの調整値の推定に用いられる系列の受信処理において、
前記第一のタイプのセルで前記系列を受信した場合、前記系列の受信に対する応答として、前記系列に対応する識別子を示す情報と、前記系列を受信した前記第一のタイプのセルに対する前記調整値を示す情報を前記移動局装置に送信し、
前記第二のタイプのセルで前記系列を受信した場合、前記系列の受信に対する応答として、前記移動局装置に予め割り当てた移動局装置識別子を示す情報と、前記系列を受信した前記第二のタイプのセルに対する前記調整値を示す情報を前記移動局装置に送信し、
前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、
前記第二のタイプのセルに対する前記調整値に関して、前記系列の受信に対する応答に含める場合は前記第一のフォーマットを用い、それ以外の場合は前記第二のフォーマットを用いることを特徴とする基地局装置。
【請求項４】
複数の移動局装置および前記複数の移動局装置と通信を行う基地局装置から構成され、第一のタイプのセルと第二のタイプのセルを用いて前記基地局装置と前記移動局装置が通信を行う通信システムであって、
前記移動局装置は、
前記第一のタイプのセル、または前記第二のタイプのセルでの上りリンクの送信タイミングの調整値の推定に用いられる系列の送信処理において、
前記第一のタイプのセルで前記系列を送信した場合、前記系列の送信に対する応答として、前記系列に対応する識別子を示す情報と、前記系列を送信した前記第一のタイプのセルに対する前記調整値を示す情報を前記基地局装置より受信したら、前記系列の送信処理を終了し、
前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を前記基地局装置より受信したら、前記系列の送信処理を終了し、
前記系列を送信してから所定の期間の間に、前記系列の送信に対する応答を前記基地局装置より受信しなかったら、前記系列を再度送信する送信処理を行い、
前記基地局装置は、
前記第一のタイプのセル、または前記第二のタイプのセルでの前記系列の受信処理において、
前記第一のタイプのセルで前記系列を受信した場合、前記系列の受信に対する応答として、前記系列に対応する識別子を示す情報と、前記系列を受信した前記第一のタイプのセルに対する前記調整値を示す情報を前記移動局装置に送信し、
前記第二のタイプのセルで前記系列を受信した場合、前記系列の受信に対する応答として、前記移動局装置に予め割り当てた移動局装置識別子を示す情報と、前記系列を受信した前記第二のタイプのセルに対する前記調整値を示す情報を前記移動局装置に送信することを特徴とする通信システム。
【請求項５】
第一のタイプのセルと第二のタイプのセルを用いて基地局装置と通信を行う移動局装置に用いられる通信方法であって、
前記第一のタイプのセル、または前記第二のタイプのセルでの上りリンクの送信タイミングの調整値の推定に用いられる系列の送信処理において、
前記第一のタイプのセルで前記系列を送信した場合、前記系列の送信に対する応答として、前記系列に対応する識別子を示す情報と、前記系列を送信した前記第一のタイプのセルに対する前記調整値を示す情報を前記基地局装置より受信したら、前記系列の送信処理を終了するステップと、
前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を前記基地局装置より受信したら、前記系列の送信処理を終了するステップと、
前記系列を送信してから所定の期間の間に、前記系列の送信に対する応答を前記基地局装置より受信しなかったら、前記系列を再度送信する送信処理を行うステップと、を少なくとも含むこと特徴とする通信方法。
【請求項６】
前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、
前記第二のタイプのセルに対する前記調整値は、前記系列の送信に対する応答に含まれる場合は前記第一のフォーマットが用いられ、それ以外の場合は前記第二のフォーマットが用いられることを特徴とする請求項５に記載の通信方法。
【請求項７】
第一のタイプのセルと第二のタイプのセルを用いて移動局装置と通信を行う基地局装置に用いられる通信方法であって、
前記第一のタイプのセル、または前記第二のタイプのセルでの上りリンクの送信タイミングの調整値の推定に用いられる系列の受信処理において、
前記第一のタイプのセルで前記系列を受信した場合、前記系列の受信に対する応答として、前記系列に対応する識別子を示す情報と、前記系列を受信した前記第一のタイプのセルに対する前記調整値を示す情報を前記移動局装置に送信するステップと、
前記第二のタイプのセルで前記系列を受信した場合、前記系列の受信に対する応答として、前記移動局装置に予め割り当てた移動局装置識別子を示す情報と、前記系列を受信した前記第二のタイプのセルに対する前記調整値を示す情報を前記移動局装置に送信するステップと、
前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、
前記第二のタイプのセルに対する前記調整値に関して、前記系列の受信に対する応答に含める場合は前記第一のフォーマットを用い、それ以外の場合は前記第二のフォーマットを用いるステップと、を少なくとも含むことを特徴とする通信方法。
【請求項８】
移動局装置に実装されることにより、前記移動局装置に複数の機能を発揮させる集積回路であって、
第一のタイプのセルと第二のタイプのセルを用いて基地局装置と通信を行う機能と、
前記第一のタイプのセル、または前記第二のタイプのセルでの上りリンクの送信タイミングの調整値の推定に用いられる系列の送信処理において、
前記第一のタイプのセルで前記系列を送信した場合、前記系列の送信に対する応答として、前記系列に対応する識別子を示す情報と、前記系列を送信した前記第一のタイプのセルに対する前記調整値を示す情報を前記基地局装置より受信したら、前記系列の送信処理を終了する機能と、
前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を前記基地局装置より受信したら、前記系列の送信処理を終了する機能と、
前記系列を送信してから所定の期間の間に、前記系列の送信に対する応答を前記基地局装置より受信しなかったら、前記系列を再度送信する送信処理を行う機能と、を含む一連の機能を、前記移動局装置に発揮させることを特徴とする集積回路。
【請求項９】
前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、
前記第二のタイプのセルに対する前記調整値は、前記系列の送信に対する応答に含まれる場合は前記第一のフォーマットが用いられ、それ以外の場合は前記第二のフォーマットが用いられることを特徴とする請求項８に記載の集積回路。
【請求項１０】
基地局装置に実装されることにより、前記基地局装置に複数の機能を発揮させる集積回路であって、
第一のタイプのセルと第二のタイプのセルを用いて移動局装置と通信を行う機能と、
前記第一のタイプのセル、または前記第二のタイプのセルでの上りリンクの送信タイミングの調整値の推定に用いられる系列の受信処理において、
前記第一のタイプのセルで前記系列を受信した場合、前記系列の受信に対する応答として、前記系列に対応する識別子を示す情報と、前記系列を受信した前記第一のタイプのセルに対する前記調整値を示す情報を前記移動局装置に送信する機能と、
前記第二のタイプのセルで前記系列を受信した場合、前記系列の受信に対する応答として、前記移動局装置に予め割り当てた移動局装置識別子を示す情報と、前記系列を受信した前記第二のタイプのセルに対する前記調整値を示す情報を前記移動局装置に送信する機能と、
前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、
前記第二のタイプのセルに対する前記調整値に関して、前記系列の受信に対する応答に含める場合は前記第一のフォーマットを用い、それ以外の場合は前記第二のフォーマットを用いる機能と、を含む一連の機能を、前記基地局装置に発揮させることを特徴とする集積回路。
【発明の詳細な説明】
【技術分野】
【０００１】
本発明は、複数の移動局装置と基地局装置から構成される通信システムにおいて、複数の上りリンクの周波数帯域に対して上りリンクの送信タイミングの設定手順が実行される移動局装置、基地局装置、通信システム、通信方法および集積回路に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において仕様化されている。ＬＴＥでは、基地局装置から移動局装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と呼称する。）が検討されている。ＬＴＥ−Ａでは、ＬＴＥとの後方互換性(backward compatibility)を実現することが求められている。ＬＴＥ−Ａに対応した基地局装置が、ＬＴＥ−Ａに対応した移動局装置およびＬＴＥに対応した移動局装置の両方の移動局装置と同時に通信を行うこと、およびＬＴＥ−Ａに対応した移動局装置が、ＬＴＥ−Ａに対応した基地局装置およびＬＴＥに対応した基地局装置と通信を行なうことを実現することがＬＴＥ−Ａに対して要求されている。その要求を実現するために、ＬＴＥ−ＡではＬＴＥと同一のチャネル構造を少なくともサポートすることが検討されている。チャネルとは、信号の送信に用いられる媒体を意味する。物理層で用いられるチャネルは物理チャネル、メディアアクセス（Media Access Control: MAC）層で用いられるチャネルは論理チャネルと呼称する。物理チャネルの種類としては、下りリンクのデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータおよび制御情報の送受信に用いられる物理上りリンク共用チャネル（Physical Uplink Shared CHannel: PUSCH）、制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。移動局装置、または基地局装置は、制御情報、データなどから生成した信号を各物理チャネルに配置して、送信する。物理下りリンク共用チャネル、または物理上りリンク共用チャネルで送信されるデータは、トランスポートブロックと呼称する。
【０００４】
ＬＴＥ−Ａでは、ＬＴＥと同一のチャネル構造の周波数帯域（以下、「コンポーネントキャリア（Component Carrier: CC）」と呼称する。要素周波数帯域とも呼称する。）を複数用いて、１つの周波数帯域（広帯域な周波数帯域）として使用する技術（周波数帯域集約; Spectrum aggregation、キャリアアグリゲーション; CA: Carrier aggregation、Frequency aggregation等とも呼称する。）が検討されている。具体的には、キャリアアグリゲーションを用いた通信では、下りリンクのコンポーネントキャリア（以降、下りリンクコンポーネントキャリア; DL CCと呼称する。）毎に、下りリンクの物理チャネルが送受信され、上りリンクのコンポーネントキャリア（以降、上りリンクコンポーネントキャリア; UL CCと呼称する。）毎に上りリンクの物理チャネルが送受信される。つまり、キャリアアグリゲーションは、上りリンクと下りリンクにおいて、基地局装置と移動局装置が複数のＣＣを用いて複数の物理チャネルで信号を同時に送受信する技術である。
【０００５】
ＬＴＥ−Ａでは、基地局装置が任意の１つの周波数帯域を用いて通信する形態のことを「セル（Cell）」と呼称する。キャリアアグリゲーションは、複数の周波数帯域を用いた複数のセルによる通信であり、セルアグリゲーション（Cell aggregation）とも呼称する。セルアグリゲーションでは、複数のセルが異なる２種類のセルとして定義され、１つのセルがプライマリセル（PCell: Primary Cell）と定義され、その他のセルがセカンダリセル（SCell: Secondary Cell）と定義される。基地局装置は、セルアグリゲーションを用いる各移動局装置に対してＰＣｅｌｌとＳＣｅｌｌの設定を独立に行う。ＰＣｅｌｌは、必ず１つのＤＬ  ＣＣと１つのＵＬ  ＣＣのセット（組み合わせ）から構成される。ＳＣｅｌｌは、少なくとも１つのＤＬ  ＣＣから構成され、ＵＬ  ＣＣが構成される場合と構成されない場合がある。ＰＣｅｌｌで用いられるＣＣのことを、プライマリコンポーネントキャリア（PCC: Primary CC）と呼称する。ＳＣｅｌｌで用いられるＣＣのことを、セカンダリコンポーネントキャリア（SCC: Secondary CC）と呼称する。ＰＣｅｌｌおよびＳＣｅｌｌにおいて、ＰＤＳＣＨおよびＰＵＳＣＨを用いたデータ通信は共通して行なわれるが、その他の各種処理が異なって行われる。簡単に説明すると、複数の処理がＰＣｅｌｌのみで行われ、ＳＣｅｌｌでは行われない。例えば、ＰＣｅｌｌでは、下りリンクにおいてシステム情報の取得、無線品質不足（RLF: Radio Link Failure）の判断などが行われ、上りリンクにおいてＰＲＡＣＨを用いた、初期接続、スケジューリング要求のためのランダムアクセス手順の実行、ＰＵＣＣＨを用いた上りリンク制御情報の送受信などが行われる。基本的に、セルアグリゲーションを用いないＬＴＥで行われる処理の全てがＰＣｅｌｌで行われ、データ通信以外の複数の処理がＳＣｅｌｌでは行われない。
【０００６】
ＬＴＥ−Ａでは、複数のセルにおいて一部のセルにリピーターを用いることが検討されている。また、複数のセルにおいて異なるセルで異なるリピーターを用いることが検討されている。この場合、セル間で伝搬環境が異なり、移動局装置から送信された信号の基地局装置での到来タイミングがセル間で異なる。このため、基地局装置は、各セルで移動局装置との上りリンクの同期を維持するために、移動局装置に対して上りリンクの同期ずれを測定するための信号を幾つかのセルで独立に送信させる必要がある。
【０００７】
上りリンクの同期ずれを測定するための信号としてＰＲＡＣＨを用い、ランダムアクセス手順を実行することが検討されている（非特許文献１）。基地局装置は、上りリンクの同期ずれを測定することが必要と思われるセルに対してランダムアクセス手順を実行するように移動局装置に指示する。基地局装置は、ＰＲＡＣＨで送信するプリアンブル（RACH preamble）系列を示す情報を、ＰＤＣＣＨを用いて移動局装置に送信する。移動局装置は、受信したＰＤＣＣＨに含まれる情報で示されたプリアンブル系列を、セルのＵＬ  ＣＣ内のＰＲＡＣＨで基地局装置に対して送信する。なお、基地局装置より明示的に割り当てられたＲＡＣＨ  ｐｒｅａｍｂｌｅをＤｅｄｉｃａｔｅｄ  ｐｒｅａｍｂｌｅと称す。また、このように、プリアンブル系列を示す情報を含むＰＤＣＣＨによる指示をＰＤＣＣＨ  ｏｒｄｅｒと称す。Ｄｅｄｉｃａｔｅｄ  ｐｒｅａｍｂｌｅを検出した基地局装置は、上りリンクの送信タイミングの調整値（TA: Timing Advance, Timing Adjustment, Timing Alignment）を示す情報（TA command）を移動局装置に送信する。移動局装置は、Ｄｅｄｉｃａｔｅｄ  ｐｒｅａｍｂｌｅを送信したセルのＤＬ  ＣＣで上りリンクの送信タイミングの調整値を示す情報を受信する。移動局装置は、受信した上りリンクの送信タイミングの調整値を示す情報に基づき、セルの上りリンクの送信タイミングを調整する。
【０００８】
なお、一部のセルにリピーターが用いられず、同じ基地局装置により複数のセルの信号の送受信が行なわれる場合、上りリンクの同期ずれを測定するためのランダムアクセス手順はＰＣｅｌｌのみで行われ、ＰＣｅｌｌに対して用いられる上りリンクの送信タイミングの調整値がＳＣｅｌｌに対しても用いられる。複数のセルにおいて一部のセルにリピーターが用いられる場合、移動局装置はＳＣｅｌｌに対して上りリンクの同期ずれを測定するためのランダムアクセス手順をＰＣｅｌｌに対する手順とは独立して行なう。
【０００９】
ＰＤＣＣＨで送受信される下りリンクの制御情報の中には、ＰＤＳＣＨのリソースの割り当てに関する制御情報が含まれる。ＬＴＥ−Ａでは、ＰＤＣＣＨと、そのＰＤＣＣＨにリソースの割り当てに関する制御情報が含まれるＰＤＳＣＨが異なるＤＬ  ＣＣに配置される技術（Cross carrier schedulingと呼称する。）が検討されている。ＰＤＳＣＨが配置されるＤＬ  ＣＣを物理下りリンク共用チャネルコンポーネントキャリア（PDSCH CC）と呼称する。ＰＤＣＣＨが配置されるＤＬ  ＣＣを物理下りリンク制御チャネルコンポーネントキャリア（PDCCH CC）と呼称する。なお、キャリアアグリゲーションで用いられる全てのＤＬ  ＣＣにＰＤＳＣＨが配置される可能性がある場合、全てのＤＬ  ＣＣはＰＤＳＣＨ  ＣＣとなる。基地局装置は、キャリアアグリゲーションに用いる複数のＤＬ  ＣＣの中で何れのＤＬ  ＣＣをＰＤＣＣＨ  ＣＣとして用いるかを移動局装置毎に決定する。次に、基地局装置は、各ＰＤＣＣＨ  ＣＣを何れのＰＤＳＣＨ  ＣＣと対応させるかを移動局装置毎に決定する。ここで、ＰＤＣＣＨ  ＣＣとＰＤＳＣＨ  ＣＣの対応付けとは、ＰＤＳＣＨ  ＣＣに配置されるＰＤＳＣＨのリソースの割り当てに関する制御情報を含むＰＤＣＣＨが、そのＰＤＳＣＨ  ＣＣと対応付けられたＰＤＣＣＨ  ＣＣに配置されることを意味する。基地局装置は、各ＰＤＳＣＨ  ＣＣに対してＰＤＣＣＨ  ＣＣとして対応付けられたＤＬ  ＣＣを示す情報を移動局装置に通知する。移動局装置は、基地局装置より通知された情報に基づき、各ＰＤＳＣＨ  ＣＣのＰＤＳＣＨのリソースの割り当てに関する制御情報を含むＰＤＣＣＨが配置される可能性のあるＤＬ  ＣＣを認識する。
【００１０】
なお、ＰＤＳＣＨ  ＣＣと、そのＰＤＳＣＨ  ＣＣと対応付けられたＰＤＣＣＨ  ＣＣが同じＤＬ  ＣＣであってもよい。この場合、ＰＤＣＣＨ  ＣＣとして対応付けられたＤＬ  ＣＣを示す情報が移動局装置に明示的に通知されなくてもよい。また、１つのＰＤＣＣＨ  ＣＣに複数のＰＤＳＣＨ  ＣＣが対応付けられてもよい。言い換えると、複数のＰＤＳＣＨ  ＣＣが同じＰＤＣＣＨ  ＣＣに対応付けられてもよい。
【先行技術文献】
【非特許文献】
【００１１】
【非特許文献１】3GPP TSG RAN2 #74、Barcelona、Spain、9-13、May、2011、R2-113284“RACH issues for supporting multiple TAs”
【発明の概要】
【発明が解決しようとする課題】
【００１２】
例えば、Ｃｒｏｓｓ  ｃａｒｒｉｅｒ  ｓｃｈｅｄｕｌｉｎｇは、一部のセルにおいて異なる基地局装置が管轄するセルからの干渉が大きく、移動局装置が要求品質を満足しつつ、ＰＤＣＣＨを受信することが困難な場合に用いられる。ＰＤＳＣＨは、ＨＡＲＱ（Ｈｙｂｒｉｄ  Ａｕｔｍｏｔｉｃｅ  Ｒｅｐｅａｔ  ｒｅＱｕｅｓｔ）を適用して再送データを前回送信時のデータと合成することにより誤り率特性を向上させることができ、干渉が大きなセルにおいても移動局装置は要求品質を満足しつつ、ＰＤＳＣＨからデータを取得することができるが、ＰＤＣＣＨはＨＡＲＱが適用されないので適切に制御情報を取得することができない。
【００１３】
複数のセルにおいて一部のセルにリピーターが用いられるような環境においても、Ｃｒｏｓｓ  ｃａｒｒｉｅｒ  ｓｃｈｅｄｕｌｉｎｇを適用できることが望ましい。しかしながら、異なる基地局装置が管轄するセルからの干渉が大きいセルのＵＬ  ＣＣにおいて、Ｄｅｄｉｃａｔｅｄ  ｐｒｅａｍｂｌｅを送信し、そのセルのＤＬ  ＣＣで上りリンクの送信タイミングの調整値を示す情報を受信するように動作しても、異なる基地局装置が管轄するセルからの干渉の影響を受けて、ＰＤＣＣＨを適切に受信することができない。その結果、移動局装置は適切に上りリンクの送信タイミングの調整値を示す情報を受信することができないという問題があった。
【００１４】
本発明は上記の点に鑑みてなされたものであり、その目的は、複数の移動局装置と基地局装置から構成される通信システムにおいて、複数の上りリンクの周波数帯域に対して上りリンクの送信タイミングの設定手順が効率的に実行されることができる移動局装置、基地局装置、通信システム、通信方法および集積回路に関する。
【課題を解決するための手段】
【００１５】
（１）上記の目的を達成するために、本発明は、以下のような手段を講じた。すなわち、本発明の移動局装置は、第一のタイプのセルと第二のタイプのセルを用いて基地局装置と通信を行う移動局装置であって、前記第一のタイプのセル、または前記第二のタイプのセルでの上りリンクの送信タイミングの調整値の推定に用いられる系列の送信処理において、前記第一のタイプのセルで前記系列を送信した場合、前記系列の送信に対する応答として、前記系列に対応する識別子を示す情報と、前記系列を送信した前記第一のタイプのセルに対する前記調整値を示す情報を前記基地局装置より受信したら、前記系列の送信処理を終了し、前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を前記基地局装置より受信したら、前記系列の送信処理を終了し、前記系列を送信してから所定の期間の間に、前記系列の送信に対する応答を前記基地局装置より受信しなかったら、前記系列を再度送信する送信処理を行うことを特徴とする。
【００１６】
（２）また、本発明の移動局装置において、前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、前記第二のタイプのセルに対する前記調整値は、前記系列の送信に対する応答に含まれる場合は前記第一のフォーマットが用いられ、それ以外の場合は前記第二のフォーマットが用いられることを特徴とする。
【００１７】
（３）また、本発明の基地局装置は、第一のタイプのセルと第二のタイプのセルを用いて移動局装置と通信を行う基地局装置であって、前記第一のタイプのセル、または前記第二のタイプのセルでの上りリンクの送信タイミングの調整値の推定に用いられる系列の受信処理において、前記第一のタイプのセルで前記系列を受信した場合、前記系列の受信に対する応答として、前記系列に対応する識別子を示す情報と、前記系列を受信した前記第一のタイプのセルに対する前記調整値を示す情報を前記移動局装置に送信し、前記第二のタイプのセルで前記系列を受信した場合、前記系列の受信に対する応答として、前記移動局装置に予め割り当てた移動局装置識別子を示す情報と、前記系列を受信した前記第二のタイプのセルに対する前記調整値を示す情報を前記移動局装置に送信し、前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、前記第二のタイプのセルに対する前記調整値に関して、前記系列の受信に対する応答に含める場合は前記第一のフォーマットを用い、それ以外の場合は前記第二のフォーマットを用いることを特徴とする。
【００１８】
（４）また、本発明の通信システムは、複数の移動局装置および前記複数の移動局装置と通信を行う基地局装置から構成され、第一のタイプのセルと第二のタイプのセルを用いて前記基地局装置と前記移動局装置が通信を行う通信システムであって、前記移動局装置は、前記第一のタイプのセル、または前記第二のタイプのセルでの上りリンクの送信タイミングの調整値の推定に用いられる系列の送信処理において、前記第一のタイプのセルで前記系列を送信した場合、前記系列の送信に対する応答として、前記系列に対応する識別子を示す情報と、前記系列を送信した前記第一のタイプのセルに対する前記調整値を示す情報を前記基地局装置より受信したら、前記系列の送信処理を終了し、前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を前記基地局装置より受信したら、前記系列の送信処理を終了し、前記系列を送信してから所定の期間の間に、前記系列の送信に対する応答を前記基地局装置より受信しなかったら、前記系列を再度送信する送信処理を行い、前記基地局装置は、前記第一のタイプのセル、または前記第二のタイプのセルでの前記系列の受信処理において、前記第一のタイプのセルで前記系列を受信した場合、前記系列の受信に対する応答として、前記系列に対応する識別子を示す情報と、前記系列を受信した前記第一のタイプのセルに対する前記調整値を示す情報を前記移動局装置に送信し、前記第二のタイプのセルで前記系列を受信した場合、前記系列の受信に対する応答として、前記移動局装置に予め割り当てた移動局装置識別子を示す情報と、前記系列を受信した前記第二のタイプのセルに対する前記調整値を示す情報を前記移動局装置に送信することを特徴とする。
【００１９】
（５）また、本発明の通信方法は、第一のタイプのセルと第二のタイプのセルを用いて基地局装置と通信を行う移動局装置に用いられる通信方法であって、前記第一のタイプのセル、または前記第二のタイプのセルでの上りリンクの送信タイミングの調整値の推定に用いられる系列の送信処理において、前記第一のタイプのセルで前記系列を送信した場合、前記系列の送信に対する応答として、前記系列に対応する識別子を示す情報と、前記系列を送信した前記第一のタイプのセルに対する前記調整値を示す情報を前記基地局装置より受信したら、前記系列の送信処理を終了するステップと、前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を前記基地局装置より受信したら、前記系列の送信処理を終了するステップと、前記系列を送信してから所定の期間の間に、前記系列の送信に対する応答を前記基地局装置より受信しなかったら、前記系列を再度送信する送信処理を行うステップと、を少なくとも含むこと特徴とする。
【００２０】
（６）また、本発明の通信方法において、前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、前記第二のタイプのセルに対する前記調整値は、前記系列の送信に対する応答に含まれる場合は前記第一のフォーマットが用いられ、それ以外の場合は前記第二のフォーマットが用いられることを特徴とする。
【００２１】
（７）また、本発明の通信方法は、第一のタイプのセルと第二のタイプのセルを用いて移動局装置と通信を行う基地局装置に用いられる通信方法であって、前記第一のタイプのセル、または前記第二のタイプのセルでの上りリンクの送信タイミングの調整値の推定に用いられる系列の受信処理において、前記第一のタイプのセルで前記系列を受信した場合、前記系列の受信に対する応答として、前記系列に対応する識別子を示す情報と、前記系列を受信した前記第一のタイプのセルに対する前記調整値を示す情報を前記移動局装置に送信するステップと、前記第二のタイプのセルで前記系列を受信した場合、前記系列の受信に対する応答として、前記移動局装置に予め割り当てた移動局装置識別子を示す情報と、前記系列を受信した前記第二のタイプのセルに対する前記調整値を示す情報を前記移動局装置に送信するステップと、前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、前記第二のタイプのセルに対する前記調整値に関して、前記系列の受信に対する応答に含める場合は前記第一のフォーマットを用い、それ以外の場合は前記第二のフォーマットを用いるステップと、を少なくとも含むことを特徴とする。
【００２２】
（８）また、本発明の集積回路は、移動局装置に実装されることにより、前記移動局装置に複数の機能を発揮させる集積回路であって、第一のタイプのセルと第二のタイプのセルを用いて基地局装置と通信を行う機能と、前記第一のタイプのセル、または前記第二のタイプのセルでの上りリンクの送信タイミングの調整値の推定に用いられる系列の送信処理において、前記第一のタイプのセルで前記系列を送信した場合、前記系列の送信に対する応答として、前記系列に対応する識別子を示す情報と、前記系列を送信した前記第一のタイプのセルに対する前記調整値を示す情報を前記基地局装置より受信したら、前記系列の送信処理を終了する機能と、前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を前記基地局装置より受信したら、前記系列の送信処理を終了する機能と、前記系列を送信してから所定の期間の間に、前記系列の送信に対する応答を前記基地局装置より受信しなかったら、前記系列を再度送信する送信処理を行う機能と、を含む一連の機能を、前記移動局装置に発揮させることを特徴とする。
【００２３】
（９）また、本発明の集積回路において、前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、前記第二のタイプのセルに対する前記調整値は、前記系列の送信に対する応答に含まれる場合は前記第一のフォーマットが用いられ、それ以外の場合は前記第二のフォーマットが用いられることを特徴とする。
【００２４】
（１０）また、本発明の集積回路は、基地局装置に実装されることにより、前記基地局装置に複数の機能を発揮させる集積回路であって、第一のタイプのセルと第二のタイプのセルを用いて移動局装置と通信を行う機能と、前記第一のタイプのセル、または前記第二のタイプのセルでの上りリンクの送信タイミングの調整値の推定に用いられる系列の受信処理において、前記第一のタイプのセルで前記系列を受信した場合、前記系列の受信に対する応答として、前記系列に対応する識別子を示す情報と、前記系列を受信した前記第一のタイプのセルに対する前記調整値を示す情報を前記移動局装置に送信する機能と、前記第二のタイプのセルで前記系列を受信した場合、前記系列の受信に対する応答として、前記移動局装置に予め割り当てた移動局装置識別子を示す情報と、前記系列を受信した前記第二のタイプのセルに対する前記調整値を示す情報を前記移動局装置に送信する機能と、前記調整値は、第一のフォーマットと第二のフォーマットのいずれか一方で構成され、前記第一のフォーマットは前記第二のフォーマットよりも上りリンクの送信タイミングの調整可能範囲を示すビット数が多く、前記第二のタイプのセルに対する前記調整値に関して、前記系列の受信に対する応答に含める場合は前記第一のフォーマットを用い、それ以外の場合は前記第二のフォーマットを用いる機能と、を含む一連の機能を、前記基地局装置に発揮させることを特徴とする。
【００２５】
本明細書では、移動局装置と基地局装置が複数の周波数帯域を用いて接続される場合における通信システム、基地局装置、移動局装置、通信方法および集積回路の改良という点において本発明を開示するが、本発明が適用可能な通信方式は、ＬＴＥまたはＬＴＥ−ＡのようにＬＴＥと上位互換性のある通信方式に限定されるものではない。例えば、本発明はＵＭＴＳ（Universal Mobile Telecommunications System）にも適用することができる。
【発明の効果】
【００２６】
この発明によれば、複数の上りリンクの周波数帯域に対して上りリンクの送信タイミングの設定手順が効率的に実行されることができる。
【図面の簡単な説明】
【００２７】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る移動局装置５のＮｏｎ−ｃｏｎｔｅｎｔｉｏｎ  ｂａｓｅｄ  ｒａｎｄｏｍ  ａｃｃｅｓｓ手順に関する処理の一例を示すフローチャートである。
【図８】本発明の実施形態に係る基地局装置３のＮｏｎ−ｃｏｎｔｅｎｔｉｏｎ  ｂａｓｅｄ  ｒａｎｄｏｍ  ａｃｃｅｓｓ手順に関する処理の一例を示すフローチャートである。
【図９】本発明の実施形態に係る通信システムの全体像についての概略を説明する図である。
【図１０】本発明の実施形態に係る基地局装置３から移動局装置５への下りリンクの時間フレームの概略構成を示す図である。
【図１１】本発明の実施形態に係る移動局装置５から基地局装置３への上りリンクの時間フレームの概略構成を示す図である。
【発明を実施するための形態】
【００２８】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やｃｄｍａ２０００（登録商標）等のような無線技術（規格）を実装し得る。ＵＴＲＡは、広帯域ＣＤＭＡ（ＷＣＤＭＡ）及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）のような無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ‐ＯＦＤＭ（登録商標）などのような無線技術を実装し得る。ＵＴＲＡ及びＥ−ＵＴＲＡは、汎用移動通信システム（ＵＭＴＳ）の一部である。３ＧＰＰ ＬＴＥ（Ｌｏｎｇ  Ｔｅｒｍ  Ｅｖｏｌｕｔｉｏｎ）は、ダウンリンク上でＯＦＤＭＡを、アップリンク上でＳＣ−ＦＤＭＡを採用するＥ−ＵＴＲＡを使用するＵＭＴＳである。ＬＴＥ−Ａは、ＬＴＥを改良したシステム、無線技術、規格である。ＵＴＲＡ、Ｅ−ＵＴＲＡ、ＵＭＴＳ、ＬＴＥ、ＬＴＥ−Ａ及びＧＳＭは、第３世代パートナーシッププロジェクト（３ＧＰＰ）と名付けられた機関からのドキュメントで説明されている。ｃｄｍａ２０００及びＵＭＢは、第３世代パートナーシッププロジェクト２（３ＧＰＰ２）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００２９】
以下、図面を参照しながら本発明の実施形態について詳しく説明する。まず、図９〜図１１を用いて、本実施形態に係る通信システムの全体像について説明する。次に、図１〜図６を用いて、本実施形態に係る通信システムの構成について説明する。次に、図７〜図８を用いて、本実施形態に係る通信システムの動作処理について説明する。
【００３０】
＜通信システムの全体像＞
図９は、本発明の実施形態に係る通信システムの全体像についての概略を説明する図である。この図が示す通信システム１は、基地局装置（eNodeB、NodeB、アクセスポイントとも呼称する。）３と、複数のリピーター４Ａ、４Ｂ、４Ｃと、複数の移動局装置（UE: User Equipmentとも呼称する）５Ａ、５Ｂ、５Ｃとが通信を行なう。なお、本発明の実施形態に係る通信システムは、他のネットワークエンティティを含み得る。基地局装置３は、移動局装置５Ａ、５Ｂ、５Ｃの位置に応じて、リピーター４Ａ、４Ｂ、４Ｃを介して、またはリピーター４Ａ、４Ｂ、４Ｃを介さずに、移動局装置５Ａ、５Ｂ、５Ｃと無線通信を行なう。また、この図は、基地局装置３から移動局装置５Ａ、５Ｂ、５Ｃへの通信方向である下りリンク（DL: Downlinkとも呼称する。）が、下りリンクパイロットチャネル（下りリンク参照信号）、物理下りリンク制御チャネル（PDCCH: Physical Downlink Control CHannelとも呼称する。）、および物理下りリンク共用チャネル（PDSCH: Physical Downlink Shared CHannelとも呼称する。）を含んで構成されることを示す。なお、リピーター４Ａ、４Ｂ、４Ｃを介した場合、リピーター４Ａ、４Ｂ、４Ｃから移動局装置５Ａ、５Ｂ、５Ｃへの通信方向も下りリンクである。
【００３１】
また、この図は、移動局装置５Ａ、５Ｂ、５Ｃから基地局装置３への通信方向である上りリンク（UL: Uplinkとも呼称する）が、物理上りリンク共用チャネル（PUSCH: PhysicalUplinkShared CHannelとも呼称する。）、上りリンクパイロットチャネル（上りリンク参照信号）、および物理上りリンク制御チャネル（PUCCH: Physical Uplink Control CHannelとも呼称する。）を含んで構成されることを示す。なお、リピーター４Ａ、４Ｂ、４Ｃを介した場合、移動局装置５Ａ、５Ｂ、５Ｃからリピーター４Ａ、４Ｂ、４Ｃへの通信方向も上りリンクである。
【００３２】
チャネルとは、信号の送信に用いられる媒体を意味する。物理層で用いられるチャネルは物理チャネル、メディアアクセス（Media Access Control: MAC）層で用いられるチャネルは論理チャネルと呼称する。ＰＤＳＣＨは、下りリンクのデータおよび制御情報の送受信に用いられる物理チャネルである。ＰＤＣＣＨは、下りリンクの制御情報の送受信に用いられる物理チャネルである。ＰＵＳＣＨは、上りリンクのデータおよび制御情報の送受信に用いられる物理チャネルである。ＰＵＣＣＨは、上りリンクの制御情報（上りリンク制御情報; Uplink Control Information: UCI）の送受信に用いられる物理チャネルである。ＵＣＩの種類としては、ＰＤＳＣＨの下りリンクのデータに対する肯定応答（Acknowledgement: ACK）、または否定応答（Negative Acknowledgement: NACK）を示す受信確認応答（ACK/NACK）と、リソースの割り当てを要求するか否かを示すスケジューリング要求（Scheduling request: SR）等が用いられる。その他の物理チャネルの種類としては、下りリンクの同期確立のために用いられる同期チャネル（Synchronization CHannel: SCH、同期信号; synchronization signal）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等が用いられる。また、ＰＤＳＣＨは下りリンクのシステム情報の送信にも用いられる。
【００３３】
移動局装置５A、５B、５C、または基地局装置３は、制御情報、データなどから生成した信号を各物理チャネルに配置して、送信する。ＰＤＳＣＨ、またはＰＵＳＣＨで送信されるデータは、トランスポートブロックと呼称する。また、基地局装置３が管轄するエリアのことをセルと呼ぶ。なお、実際にリピーター４Ａ、４Ｂ、４Ｃを介して基地局装置３と移動局装置５Ａ、５Ｂ、５Ｃが通信を行なう場合であっても、移動局装置５Ａ、５Ｂ、５Ｃはリピーター４Ａ、４Ｂ、４Ｃの存在を意識して処理を行なうことはなく、リピーター４Ａ、４Ｂ、４Ｃを基地局装置３とみなして通信を行なう。以下、本実施形態において、移動局装置５Ａ、５Ｂ、５Ｃを移動局装置５と呼び、リピーター４Ａ、４Ｂ、４Ｃは基地局装置３に含めて説明を行なう。
【００３４】
また、本発明の実施形態では、リピーター（Ｆｒｅｑｕｅｎｃｙ  ｓｅｌｅｃｔｉｖｉｔｙ  ｒｅｐｅａｔｅｒ）が用いられる通信システム１について説明するが、ＲＲＨ（Remote Radio Head、基地局装置より小型の屋外型の無線部、Remote Radio Unit: RRUとも称す）が用いられる通信システムにおいても本発明を適用することができる。ＲＲＨは、基地局装置３により管理され、送受信が制御される。カバレッジの広い基地局装置は、一般的にマクロ基地局装置と呼称する。カバレッジの狭い基地局装置は、一般的にピコ基地局装置、またはフェムト基地局装置と呼称する。ＲＲＨは、一般的に、マクロ基地局装置よりもカバレッジが狭いエリアでの運用が検討され、ピコ基地局装置、フェムト基地局装置のような役わりとして運用されることが検討されている。マクロ基地局装置と、ＲＲＨにより構成され、マクロ基地局装置によりサポートされるカバレッジがＲＲＨによりサポートされるカバレッジの一部または全部を含んで構成される通信システムに本発明を適用することができる。このような通信システムの展開は、ヘテロジーニアスネットワーク展開と呼称する。例えば、図９において、基地局装置３がマクロ基地局装置に対応し、リピーターがＲＲＨに対応するような通信システムである。移動局装置５と基地局装置３間で直接的に信号の送受信が行なわれるセルと、移動局装置５と基地局装置３間でＲＲＨを介して信号の送受信が行なわれるセル間で伝搬環境が異なり、リピーターの場合と同様に、移動局装置５から送信された信号の基地局装置３での到来タイミングがセル間で異なる。
【００３５】
＜キャリアアグリゲーション／セルアグリゲーション＞
本発明の実施形態に係る通信システムでは、予め定められた周波数帯域幅の周波数帯域を複数用いて通信を行なう（周波数帯域集約；Spectrum aggregation、キャリアアグリゲーション; Carrier aggregation; CA、Frequency aggregation等とも呼称する。）。ここで、１個の周波数帯域をコンポーネントキャリア（Component Carrier: CC）と呼称する。具体的には、キャリアアグリゲーションを用いた通信では、下りリンクのＣＣ（下りリンクコンポーネントキャリア; DL CCと呼称する。）毎に、下りリンクの物理チャネルが送受信され、上りリンクのＣＣ（上りリンクコンポーネントキャリア; UL CCと呼称する。）毎に上りリンクの物理チャネルが送受信される。つまり、キャリアアグリゲーションを用いた本発明の実施形態に係る通信システムは、上りリンクと下りリンクにおいて、基地局装置３と複数の移動局装置５が複数のＣＣを用いて複数の物理チャネルで信号を同時に送受信する。
【００３６】
基地局装置３は、１つのセルで任意の１つの周波数帯域を用いて通信する。キャリアアグリゲーションは、複数の周波数帯域を用いた複数のセルによる通信であり、セルアグリゲーション（Cell aggregation）とも呼称する。セルアグリゲーションでは、１つのセルがプライマリセル（PCell: Primary Cell）と定義され、残りのセルがセカンダリセル（SCell: Secondary Cell）と定義される。ＰＣｅｌｌとＳＣｅｌｌの設定は、移動局装置５毎に独立に行われる。ＰＣｅｌｌは、必ず１つのＤＬ  ＣＣと１つのＵＬ  ＣＣのセットから構成される。ＳＣｅｌｌは、少なくとも１つのＤＬ  ＣＣから構成され、ＵＬ  ＣＣが構成されてもよいし、構成されなくてもよい。なお、説明の簡略化のため、本実施形態では、１つのＳＣｅｌｌが１つのＤＬ  ＣＣと１つのＵＬ  ＣＣのセットから構成されることを想定した説明を行なう。ＰＣｅｌｌで用いられるＣＣのことを、プライマリコンポーネントキャリア（PCC: Primary CC）と呼称する。ＳＣｅｌｌで用いられるＣＣのことを、セカンダリコンポーネントキャリア（SCC: Secondary CC）と呼称する。
【００３７】
ＰＣｅｌｌおよびＳＣｅｌｌにおいて、ＰＤＳＣＨおよびＰＵＳＣＨを用いたデータ通信は共通して行なわれるが、その他の各種処理が異なって行われる。簡単に説明すると、複数の処理がＰＣｅｌｌのみで行われ、ＳＣｅｌｌでは行われない。例えば、ＰＣｅｌｌでは、下りリンクにおいてシステム情報の取得、無線品質不足（RLF: Radio Link Failure）の判断などが行われ、上りリンクにおいてＰＲＡＣＨを用いた、初期接続、スケジューリング要求（リソース割当要求）のためのランダムアクセス手順の実行、ＰＵＣＣＨを用いたＵＣＩの送受信などが行われる。ＰＣｅｌｌと、少なくとも一部のＳＣｅｌｌ、例えばリピーター、またはＲＲＨを介して接続されるＳＣｅｌｌでは、上りリンクの同期ずれを測定するためのランダムアクセス手順が実行される。
【００３８】
例えば、図９に示す移動局装置５Ａは、セルアグリゲーションを用いて通信を行なう場合、あるセルでは基地局装置３と直接的に信号の送受信を行ない、あるセルではリピーター４Ａを介して基地局装置３と信号の送受信を行なう。例えば、移動局装置５Ａは、基地局装置３と直接的に信号の送受信が行なわれるセルがＰＣｅｌｌに設定され、リピーター４Ａを介して基地局装置３と信号の送受信が行なわれるセルがＳＣｅｌｌに設定される。
【００３９】
＜下りリンクの時間フレームの構成＞
図１０は、本発明の実施形態に係る基地局装置３から移動局装置５への下りリンクの時間フレームの概略構成を示す図である。この図において、横軸は時間領域、縦軸は周波数領域を表している。下りリンクの時間フレームは、リソースの割り当てなどの単位であり、下りリンクの予め決められた幅の周波数帯および時間帯からなるリソースブロック（RB）（物理リソースブロック; PRB: Physical Resource Blockとも呼称する。）のペア（物理リソースブロックペア; PRB pairと呼称する。）から構成される。１個の下りリンクのＰＲＢ  ｐａｉｒ（下りリンク物理リソースブロックペア; DL PRB pairと呼称する。）は下りリンクの時間領域で連続する２個のＰＲＢ（下りリンク物理リソースブロック; DL PRBと呼称する。）から構成される。
【００４０】
また、この図において、１個のＤＬ  ＰＲＢは、下りリンクの周波数領域において１２個のサブキャリア（下りリンクサブキャリアと呼称する。）から構成され、時間領域において７個のＯＦＤＭ（直交周波数分割多重; Orthogonal Frequency Division Multiplexing）シンボルから構成される。下りリンクのシステム帯域（下りリンクシステム帯域と呼称する。）は、基地局装置３の下りリンクの通信帯域である。下りリンクのシステム帯域幅（下りリンクシステム帯域幅と呼称する。）は、複数の下りリンクのＣＣの帯域幅（下りリンクコンポーネントキャリア帯域幅と呼称する。）から構成される。通信システム１において、下りリンクのＣＣ（下りリンクコンポーネントキャリア; DL CCと呼称する。）は予め定められた周波数帯域幅の帯域であり、下りリンクコンポーネントキャリア帯域幅はＤＬ  ＣＣの周波数帯域幅である。例えば、４０ＭＨｚの周波数帯域幅の下りリンクシステム帯域は、２個の２０ＭＨｚの周波数帯域幅のＤＬ  ＣＣから構成される。
【００４１】
なお、ＤＬ  ＣＣでは下りリンクコンポーネントキャリア帯域幅に応じて複数のＤＬ  ＰＲＢが配置される。例えば、２０ＭＨｚの周波数帯域幅のＤＬ  ＣＣは、１００個のＤＬ  ＰＲＢから構成される。また、例えば、下りリンクコンポーネントキャリア帯域幅は、ＬＴＥに対応した移動局装置５が通信に用いることができる周波数帯域幅であり、下りリンクシステム帯域幅はＬＴＥ−Ａに対応した移動局装置５が通信に用いることができる周波数帯域幅である。ＬＴＥに対応した移動局装置５は同時に１つのセルでしか通信を行うことができず、ＬＴＥ−Ａに対応した移動局装置５は同時に複数のセルで通信を行なうことができる。下りリンクコンポーネントキャリア帯域幅は、１つのセルの下りリンクの周波数帯域幅であり、下りリンクシステム帯域幅は、複数のセルの下りリンクの周波数帯域幅をまとめたものである。
【００４２】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）がある。なお、１個の下りリンクサブキャリアと１個のＯＦＤＭシンボルから構成されるユニットをリソースエレメント（RE: Resource Element）（下りリンクリソースエレメント）と呼称する。各下りリンクサブフレームには少なくとも、情報データ（トランスポートブロック; Transport Blockとも呼称する。）の送信に用いられるＰＤＳＣＨ、制御情報の送信に用いられるＰＤＣＣＨが配置される。この図においては、ＰＤＣＣＨは下りリンクサブフレームの１番目から３番目までのＯＦＤＭシンボルから構成され、ＰＤＳＣＨは下りリンクサブフレームの４番目から１４番目までのＯＦＤＭシンボルから構成される。なお、ＰＤＣＣＨを構成するＯＦＤＭシンボルの数と、ＰＤＳＣＨを構成するＯＦＤＭシンボルの数は、下りリンクサブフレーム毎に変更されてもよい。
【００４３】
この図において図示は省略するが、下りリンクの参照信号（RS: Reference signal）（下りリンク参照信号と呼称する。Cell specific RS、DL RSとも呼称する。）の送信に用いられる下りリンクパイロットチャネルが複数の下りリンクリソースエレメントに分散して配置される。ここで、下りリンク参照信号は、ＰＤＳＣＨおよびＰＤＣＣＨの信号の伝搬路変動の推定に用いられる、通信システム１において既知の信号である。なお、下りリンク参照信号を構成する下りリンクリソースエレメントの数は、基地局装置３において移動局装置５への通信に用いられる送信アンテナの数に依存する。
【００４４】
なお、１個のＰＤＳＣＨは同一のＤＬ  ＣＣ内の１個以上のＤＬ  ＰＲＢから構成され、１個のＰＤＣＣＨは同一のＤＬ  ＣＣ内の複数の下りリンクリソースエレメントから構成される。下りリンクシステム帯域内で複数のＰＤＳＣＨ、複数のＰＤＣＣＨが配置される。基地局装置３は、ＬＴＥに対応した１つの移動局装置５に対して同一の下りリンクサブフレームで同一のＤＬ  ＣＣ内でＰＤＳＣＨのリソースの割り当てに関する制御情報を含む１個のＰＤＣＣＨと１個のＰＤＳＣＨを配置することができ、ＬＴＥ−Ａに対応した１つの移動局装置５に対して同一の下りリンクサブフレームでＰＤＳＣＨのリソースの割り当てに関する制御情報を含む複数のＰＤＣＣＨと複数のＰＤＳＣＨを配置することができる。なお、基地局装置３は、ＬＴＥ−Ａに対応した１つの移動局装置５に対して同一の下りリンクサブフレームで、同一のＤＬ  ＣＣ内で複数のＰＤＳＣＨのリソースの割り当てに関する制御情報を含む、複数のＰＤＣＣＨを配置することができるが、同一のＤＬ  ＣＣ内で複数のＰＤＳＣＨを配置することはできず、各ＰＤＳＣＨを異なるＤＬ  ＣＣに配置することはできる。
【００４５】
ＰＤＣＣＨは、ＰＤＳＣＨに対するＤＬ  ＰＲＢの割り当てを示す情報、ＰＵＳＣＨに対するＵＬ  ＰＲＢの割り当てを示す情報、移動局装置識別子（移動局識別子）（RNTI: Radio Network Temporary Identifierと呼称する。）、変調方式、符号化率、再送パラメータ、マルチアンテナ関連情報、送信電力制御コマンド（TPC command）、ＰＵＣＣＨのリソースを示す情報などの制御情報から生成された信号が配置される。ＰＤＣＣＨに含まれる制御情報を下りリンク制御情報（DCI: Downlink Control Information）と呼称する。ＰＤＳＣＨに対するＤＬ  ＰＲＢの割り当てを示す情報を含むＤＣＩは下りリンクアサインメント（DL assignment: Downlink assignment、またDownlink grantとも呼称する。）と呼称し、ＰＵＳＣＨに対するＵＬ  ＰＲＢの割り当てを示す情報を含むＤＣＩは上りリンクグラント（UL grant: Uplink grantと呼称する。）と呼称する。なお、下りリンクアサインメントは、一部のリソース割り当ての情報フィールドが特定の値を示す場合、ＰＤＣＣＨ  ｏｒｄｅｒに関する情報として用いられる。具体的には、ＰＤＣＣＨ  ｏｒｄｅｒに関する情報として用いられる下りリンクアサインメントは、Ｄｅｄｉｃａｔｅｄ  ｐｒｅａｍｂｌｅのプリアンブル系列を示す情報、Ｄｅｄｉｃａｔｅｄ  ｐｒｅａｍｂｌｅを送信可能なＰＲＡＣＨの上りリンクサブフレームを示す情報を少なくとも含む。なお、下りリンクアサインメントは、ＰＵＣＣＨに対する送信電力制御コマンドを含む。なお、上りリンクアサインメントは、ＰＵＳＣＨに対する送信電力制御コマンドを含む。なお、１個のＰＤＣＣＨは、１個のＤＬ  ＣＣ内の１個のＰＤＳＣＨのリソースの割り当てを示す情報、または１個のＵＬ  ＣＣ内の１個のＰＵＳＣＨのリソースの割り当てを示す情報しか含まず、複数のＰＤＳＣＨのリソースの割り当てを示す情報、または複数のＰＵＳＣＨのリソースの割り当てを示す情報を含まない。
【００４６】
更に、ＰＤＣＣＨで送信される情報として、巡回冗長検査ＣＲＣ（Ｃｙｃｌｉｃ  Ｒｅｄｕｎｄａｎｃｙ  Ｃｈｅｃｋ）符号がある。ＰＤＣＣＨで送信される、ＤＣＩ、ＲＮＴＩ、ＣＲＣの関係について詳細に説明する。予め決められた生成多項式を用いてＤＣＩからＣＲＣ符号が生成される。生成されたＣＲＣ符号に対してＲＮＴＩを用いて排他的論理和（スクランブリングとも呼称する）の処理が行われる。ＤＣＩを示すビットと、ＣＲＣ符号に対してＲＮＴＩを用いて排他的論理和の処理が行われて生成されたビット（ＣＲＣ  ｍａｓｋｅｄ  ｂｙ  ＵＥ  ＩＤと呼称する）を変調した信号が、ＰＤＣＣＨで実際に送信される。
【００４７】
＜上りリンクの時間フレームの構成＞
図１１は、本発明の実施形態に係る移動局装置５から基地局装置３への上りリンクの時間フレームの概略構成を示す図である。この図において、横軸は時間領域、縦軸は周波数領域を表している。上りリンクの時間フレームは、リソースの割り当てなどの単位であり、上りリンクの予め決められた幅の周波数帯および時間帯からなるＰＲＢ  ｐａｉｒ（上りリンク物理リソースブロックペア; UL PRB pairと呼称する。）から構成される。１個のＵＬ  ＰＲＢ  ｐａｉｒは、上りリンクの時間領域で連続する２個の上りリンクのＰＲＢ（上りリンク物理リソースブロック; UL PRBと呼称する。）から構成される。
【００４８】
また、この図において、１個のＵＬ  ＰＲＢは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３の上りリンクの通信帯域である。上りリンクのシステム帯域幅（上りリンクシステム帯域幅と呼称する。）は、複数の上りリンクのＣＣの周波数帯域幅（上りリンクコンポーネントキャリア帯域幅と呼称する。）から構成される。通信システム１において、上りリンクのＣＣ（上りリンクコンポーネントキャリア;UL CCと呼称する。）は予め定められた周波数帯域幅の帯域であり、上りリンクコンポーネントキャリア帯域幅はＵＬ  ＣＣの周波数帯域幅である。例えば、４０ＭＨｚの周波数帯域幅の上りリンクのシステム帯域（上りリンクシステム帯域と呼称する。）は、２個の２０ＭＨｚの周波数帯域幅のＵＬ  ＣＣから構成される。
【００４９】
なお、ＵＬ  ＣＣでは上りリンクコンポーネントキャリア帯域幅に応じて複数のＵＬ  ＰＲＢが配置される。例えば、２０ＭＨｚの周波数帯域幅のＵＬ  ＣＣは、１００個のＵＬ  ＰＲＢから構成される。また、例えば、上りリンクコンポーネントキャリア帯域幅は、ＬＴＥに対応した移動局装置５が通信に用いることができる周波数帯域幅であり、上りリンクシステム帯域幅はＬＴＥ−Ａに対応した移動局装置５が通信に用いることができる周波数帯域幅である。ＬＴＥに対応した移動局装置５は同時に１つのセルでしか通信を行うことができず、ＬＴＥ−Ａに対応した移動局装置５は同時に複数のセルで通信を行なうことができる。上りリンクコンポーネントキャリア帯域幅は、１つのセルの上りリンクの周波数帯域幅であり、上りリンクシステム帯域幅は、複数のセルの上りリンクの周波数帯域幅をまとめたものである。
【００５０】
また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）がある。なお、１個の上りリンクサブキャリアと１個のＳＣ−ＦＤＭＡシンボルから構成されるユニットをリソースエレメント（上りリンクリソースエレメントと呼称する。）と呼称する。
【００５１】
各上りリンクサブフレームには、少なくとも情報データの送信に用いられるＰＵＳＣＨ、上りリンク制御情報（UCI: Uplink Control Information）の送信に用いられるＰＵＣＣＨが配置される。また、何れかの上りリンクサブフレームには、上りリンクの同期確立のために用いられるＰＲＡＣＨが配置される。ＰＵＣＣＨは、ＰＤＳＣＨを用いて受信されたデータに対する肯定応答（ACK: Acknowledgement）または否定応答（NACK: Negative Acknowledgement）を示すＵＣＩ（ACK/NACK）、上りリンクのリソースの割り当てを要求するか否かを少なくとも示すＵＣＩ（SR: Scheduling Request; スケジューリング要求）、下りリンクの受信品質（チャネル品質とも呼称する。）を示すＵＣＩ（CQI: Channel Quality Indicator; チャネル品質指標）を送信するために用いられる。
【００５２】
なお、１個のＰＵＳＣＨは同一のＵＬ  ＣＣ内の１個以上のＵＬ  ＰＲＢから構成され、１個のＰＵＣＣＨは同一のＵＬ  ＣＣ内において周波数領域に対称関係にあり、異なる上りリンクスロットに位置する２個のＵＬ  ＰＲＢから構成され、１個のＰＲＡＣＨは６個のＵＬ  ＰＲＢ  ｐａｉｒから構成される。例えば、図１１において、最も周波数が低いＵＬ  ＣＣ内の上りリンクサブフレーム内において、１番目の上りリンクスロットの最も周波数が低いＵＬ  ＰＲＢと、２番目の上りリンクスロットの最も周波数が高いＵＬ  ＰＲＢとにより、ＰＵＣＣＨに用いられるＵＬ  ＰＲＢ  ｐａｉｒの１個が構成される。例えば、図１１において、最も周波数が低いＵＬ  ＣＣ内のある上りリンクサブフレーム内において、３番目に周波数が低いＵＬ  ＰＲＢ  ｐａｉｒから、周波数が高い方向に対して周波数領域で連続する６個のＵＬ  ＰＲＢ  ｐａｉｒから１個のＰＲＡＣＨが構成される。例えば、図１１において、最も周波数が高いＵＬ  ＣＣ内のある上りリンクサブフレーム内において、４番目に周波数が低いＵＬ  ＰＲＢ  ｐａｉｒから、周波数が高い方向に対して周波数領域で連続する６個のＵＬ  ＰＲＢ  ｐａｉｒから１個のＰＲＡＣＨが構成される。
【００５３】
上りリンクシステム帯域内で１個以上のＰＵＳＣＨ、１個以上のＰＵＣＣＨが配置される。基地局装置３は、ＬＴＥに対応した１つの移動局装置５に対して１つのＵＬ  ＣＣに１個のＰＵＳＣＨのリソースを割り当てることができる。また、基地局装置３は、ＬＴＥ−Ａに対応した１つの移動局装置５に対してＵＬ  ＣＣ毎に１個のＰＵＳＣＨのリソースを割り当てることができる。ＬＴＥ−Ａに対応した移動局装置５は、同一の上りリンクサブフレームで複数のＵＬ  ＣＣでＰＵＳＣＨのリソースが割り当てられた場合、複数のＰＵＳＣＨのリソースを用いて信号を送信することができる。なお、基地局装置３は、ＬＴＥ−Ａに対応した１つの移動局装置５に対して同一の上りリンクサブフレームで、同一のＵＬ  ＣＣ内で複数のＰＵＳＣＨのリソースを割り当てることはできず、各ＰＵＳＣＨのリソースを異なるＵＬ  ＣＣに割り当てることができる。なお、移動局装置５は、同一の上りリンクサブフレームで１個のＰＵＣＣＨのリソースしか用いない。また、ＬＴＥに対応した移動局装置５は、同一上りリンクサブフレームでＰＵＣＣＨのリソースとＰＵＳＣＨのリソースが割り当てられた場合は、ＰＵＳＣＨのリソースのみを用いて信号を送信する。また、ＬＴＥ−Ａに対応した移動局装置５は、同一上りリンクサブフレームでＰＵＣＣＨのリソースとＰＵＳＣＨのリソースが割り当てられた場合は、予め通知された基地局装置３の指示に基づきＰＵＳＣＨのリソースのみを用いて信号を送信するか、ＰＵＣＣＨのリソースとＰＵＳＣＨのリソースの両方を用いて信号を送信する。
【００５４】
ＰＵＣＣＨのリソースが割り当てられるＵＬ  ＣＣが上りリンクのＰＣＣであり、ＰＵＣＣＨのリソースが割り当てられるセルがＰＣｅｌｌである。また、ＬＴＥ−Ａに対応した移動局装置５は、ＰＵＳＣＨとＰＵＣＣＨの同時送信を行なわないように設定されている場合、同一上りリンクサブフレームでＰＵＣＣＨのリソースとＰＵＳＣＨのリソースが割り当てられた場合は、ＰＵＳＣＨのリソースのみを用いて信号を送信する。また、ＬＴＥ−Ａに対応した移動局装置５は、ＰＵＳＣＨとＰＵＣＣＨの同時送信を行なうように設定されている場合、同一上りリンクサブフレームでＰＵＣＣＨのリソースとＰＵＳＣＨのリソースが割り当てられた場合は、基本的にＰＵＣＣＨのリソースとＰＵＳＣＨのリソースの両方を用いて信号を送信することができる。
【００５５】
上りリンクシステム帯域内で１個以上のＰＲＡＣＨが配置されることができる。ある上りリンクサブフレームにおいて、ＵＬ  ＣＣ内では１個のＰＲＡＣＨのみが配置されることができ、複数個のＰＲＡＣＨは配置されない。基本的に、移動局装置５は、ある上りリンクサブフレームにおいて何れか１個のＵＬ  ＣＣのＰＲＡＣＨのみを用いることができる。基地局装置３は、各ＵＬ  ＣＣにおいて何れの上りリンクサブフレーム、ＵＬ  ＰＲＢ  ｐａｉｒにＰＲＡＣＨを配置するかを制御することができる。移動局装置５は、ＰＣｅｌｌのＰＲＡＣＨを用いて初期接続、スケジューリング要求（リソース割り当て要求）のためのランダムアクセス手順を実行することができる。移動局装置５は、基地局装置３と接続状態において、ＰＣｅｌｌ、ＳＣｅｌｌのＰＲＡＣＨを用いて上りリンクの同期ずれを測定するためのランダムアクセス手順を実行することができる。ここで、接続状態とは、ＭＡＣ層、ＲＲＣ（Ｒａｄｉｏ  Ｒｅｓｏｕｒｃｅ  Ｃｏｎｔｒｏｌ）層などでのパラメータが適切に設定され、保持されている状態と言うこともできる。
【００５６】
ＰＲＡＣＨは、基地局装置３において上りリンクの送信タイミングの調整値の推定に用いられるプリアンブル系列を移動局装置５が送信するために使用されるチャネルであり、ガードタイムを有する。プリアンブル系列は、６４種類の系列が用意され、６ビットの情報を表現するように構成されている。
【００５７】
ＰＲＡＣＨの送受信、応答の送受信等に係る一連の手順は、ランダムアクセス手順と呼称する。ランダムアクセス手順には、Ｃｏｎｔｅｎｔｉｏｎ  ｂａｓｅｄ  Ｒａｎｄｏｍ  Ａｃｃｅｓｓ（競合ベースランダムアクセス）手順とＮｏｎ-ｃｏｎｔｅｎｔｉｏｎ  ｂａｓｅｄ  Ｒａｎｄｏｍ  Ａｃｃｅｓｓ（非競合ベースランダムアクセス）手順の２種類の手順がある。Ｃｏｎｔｅｎｔｉｏｎ  ｂａｓｅｄ  Ｒａｎｄｏｍ  Ａｃｃｅｓｓ手順は、移動局装置５間で送信したプリアンブル系列において衝突が発生する可能性のあるランダムアクセス手順である。プリアンブル系列が衝突するということは、複数の移動局装置５が同じプリアンブル系列を同一の周波数・時間リソースのＰＲＡＣＨで送信することを意味する。なお、プリアンブル系列の衝突は、ランダムアクセスの衝突とも称される。Ｃｏｎｔｅｎｔｉｏｎ  ｂａｓｅｄ  Ｒａｎｄｏｍ  Ａｃｃｅｓｓ手順は、基地局装置３と接続（通信）していない状態の初期接続のためや、基地局装置３と接続中であるがスケジューリング要求を通知するために行われる。Ｎｏｎ-ｃｏｎｔｅｎｔｉｏｎ  ｂａｓｅｄ  Ｒａｎｄｏｍ  Ａｃｃｅｓｓ手順は、移動局装置５間で送信したプリアンブル系列において衝突が発生する可能性のないランダムアクセス手順である。Ｎｏｎ-ｃｏｎｔｅｎｔｉｏｎ  ｂａｓｅｄ  Ｒａｎｄｏｍ  Ａｃｃｅｓｓ手順は、基地局装置３と移動局装置５が接続中であるが上りリンクの同期が外れている（確立されていない、開放されている）場合に、適切な上りリンクの送信タイミングを設定するために行われる。ここで、上りリンクの同期が外れている場合とは、上りリンクの送信タイミングの調整値が通知されていない場合、通知された上りリンクの送信タイミングの調整値の有効期間が過ぎた場合、通知された上りリンクの送信タイミングの調整値がリセットされた場合などを意味する。
【００５８】
Ｎｏｎ−ｃｏｎｔｅｎｔｉｏｎ  ｂａｓｅｄ  Ｒａｎｄｏｍ  Ａｃｃｅｓｓ手順において、基地局装置３は、例えば、ＰＤＣＣＨを用いてＰＲＡＣＨで送信するプリアンブル（RACH preamble）系列を示す情報を移動局装置５に通知する。移動局装置５は、受信したＰＤＣＣＨに含まれる情報で示されたプリアンブル系列を、セルのＵＬ  ＣＣ内のＰＲＡＣＨで基地局装置３に対して送信する。なお、基地局装置３より明示的に割り当てられたＲＡＣＨ  ｐｒｅａｍｂｌｅをＤｅｄｉｃａｔｅｄ  ｐｒｅａｍｂｌｅと呼称する。また、このように、プリアンブル系列を示す情報を含むＰＤＣＣＨによる指示をＰＤＣＣＨ  ｏｒｄｅｒと呼称する。Ｃｏｎｔｅｎｔｉｏｎ  ｂａｓｅｄ  Ｒａｎｄｏｍ  Ａｃｃｅｓｓ手順で使用されるプリアンブル系列は、Ｄｅｄｉｃａｔｅｄ  ｐｒｅａｍｂｌｅとして使用されないプリアンブル系列から移動局装置５がランダムアクセス手順の開始時にランダムに一つのプリアンブル系列を選択して使用する。あるセルで移動局装置５が使用可能なプリアンブル系列のうち、Ｃｏｎｔｅｎｔｉｏｎ  ｂａｓｅｄ  Ｒａｎｄｏｍ  Ａｃｃｅｓｓ手順とＮｏｎ-ｃｏｎｔｅｎｔｉｏｎ  ｂａｓｅｄ  Ｒａｎｄｏｍ  Ａｃｃｅｓｓ手順のそれぞれの手順で使用されるプリアンブル系列の数を示す情報は、システム情報として基地局装置３から移動局装置５に通知される。
【００５９】
本願は、主にＮｏｎ−ｃｏｎｔｅｎｔｉｏｎ  ｂａｓｅｄ  Ｒａｎｄｏｍ  Ａｃｃｅｓｓ手順に関する内容であるため、以降の説明では、Ｃｏｎｔｅｎｔｉｏｎ  ｂａｓｅｄ  Ｒａｎｄｏｍ  Ａｃｃｅｓｓ手順に関する説明は適宜省略される。
【００６０】
上りリンクパイロットチャネルは、ＰＵＳＣＨと同じＵＬ  ＰＲＢ内に配置される場合と、ＰＵＣＣＨと同じＵＬ  ＰＲＢ内に配置される場合とで、異なるＳＣ−ＦＤＭＡシンボルに配置される。上りリンクパイロットチャネルは、上りリンク参照信号（UL RS: Uplink Reference Signal）を送信するために用いられる。ここで、上りリンク参照信号とは、ＰＵＳＣＨおよびＰＵＣＣＨの伝搬路変動の推定に用いられる、通信システム１において既知の信号である。
【００６１】
上りリンクパイロットチャネルは、ＰＵＳＣＨと同じＵＬ  ＰＲＢ内に配置される場合、上りリンクスロット内の４番目のＳＣ−ＦＤＭＡシンボルに配置される。上りリンクパイロットチャネルは、ＡＣＫ／ＮＡＣＫを含むＰＵＣＣＨと同じＵＬ  ＰＲＢ内に配置される場合、上りリンクスロット内の３番目と４番目と５番目のＳＣ−ＦＤＭＡシンボルに配置される。上りリンクパイロットチャネルは、ＳＲを含むＰＵＣＣＨと同じＵＬ  ＰＲＢ内に配置される場合、上りリンクスロット内の３番目と４番目と５番目のＳＣ−ＦＤＭＡシンボルに配置される。上りリンクパイロットチャネルは、ＣＱＩを含むＰＵＣＣＨと同じＵＬ  ＰＲＢ内に配置される場合、上りリンクスロット内の２番目と６番目のＳＣ−ＦＤＭＡシンボルに配置される。
【００６２】
図１１では、ＰＵＣＣＨが各ＵＬ  ＣＣの周波数領域で最も端のＵＬ  ＰＲＢに配置された場合を示しているが、ＵＬ  ＣＣの端から２番目、３番目などのＵＬ  ＰＲＢがＰＵＣＣＨに用いられてもよい。
【００６３】
なお、ＰＵＣＣＨにおいて周波数領域での符号多重、時間領域での符号多重が用いられる。周波数領域での符号多重は、サブキャリア単位で符号系列の各符号が上りリンク制御情報から変調された変調信号に乗算されることにより処理される。時間領域での符号多重は、ＳＣ−ＦＤＭＡシンボル単位で符号系列の各符号が上りリンク制御情報から変調された変調信号に乗算されることにより処理される。複数のＰＵＣＣＨが同一のＵＬ  ＰＲＢに配置され、各ＰＵＣＣＨは異なる符号が割り当てられ、割り当てられた符号により周波数領域、または時間領域において符号多重が実現される。ＡＣＫ／ＮＡＣＫを送信するために用いられるＰＵＣＣＨ（ＰＵＣＣＨ  ｆｏｒｍａｔ  １ａ、またはＰＵＣＣＨ  ｆｏｒｍａｔ  １ｂと呼称する。）においては、周波数領域及び時間領域での符号多重が用いられる。ＳＲを送信するために用いられるＰＵＣＣＨ（ＰＵＣＣＨ  ｆｏｒｍａｔ  １と呼称する。）においては、周波数領域及び時間領域での符号多重が用いられる。ＣＱＩを送信するために用いられるＰＵＣＣＨ（ＰＵＣＣＨ  ｆｏｒｍａｔ  ２、またはＰＵＣＣＨ  ｆｏｒｍａｔ  ２ａ、またはＰＵＣＣＨ  ｆｏｒｍａｔ  ２ｂと呼称する。）においては、周波数領域での符号多重が用いられる。なお、説明の簡略化のため、ＰＵＣＣＨの符号多重に係る内容の説明は適宜省略する。
【００６４】
なお、本発明の実施形態に係る通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、上りリンクコンポーネントキャリア単位でＤＦＴ−Ｓｐｒｅａｄ  ＯＦＤＭ方式を用いて信号を送受信する方式であり、複数のＵＬ  ＣＣを用いた通信システム１の上りリンクサブフレームにおいて複数のＤＦＴ−Ｓｐｒｅａｄ  ＯＦＤＭ送受信に関する処理部を用いて通信を行なう方式である。
【００６５】
ＰＤＳＣＨのリソースは、時間領域において、そのＰＤＳＣＨのリソースの割り当てに用いられた下りリンクアサインメントを含むＰＤＣＣＨのリソースが配置された下りリンクサブフレームと同一の下りリンクサブフレームに配置され、周波数領域において、そのＰＤＳＣＨのリソースの割り当てに用いられる下りリンクアサインメントを含むＰＤＣＣＨと同じＤＬ  ＣＣ、または異なるＤＬ  ＣＣに配置される。
【００６６】
ＤＣＩには、下りリンクアサインメントがいずれのＤＬ  ＣＣで送信されるＰＤＳＣＨに対応するか、または上りリンクグラントがいずれのＵＬ  ＣＣで送信されるＰＵＳＣＨに対応するかを示す情報（以下、「キャリアインディケータ（carrier indicator）」と呼称する。）が含まれる。下りリンクアサインメントにキャリアインディケータが含まれない場合、下りリンクアサインメントは、下りリンクアサインメントが送信されたＤＬ  ＣＣと同じＤＬ  ＣＣのＰＤＳＣＨに対応する。上りリンクグラントにキャリアインディケータが含まれない場合、上りリンクグラントは、上りリンクグラントが送信されたＤＬ  ＣＣと予め対応付けられたＵＬ  ＣＣのＰＵＳＣＨに対応する。なお、キャリアインディケータがＤＣＩに含まれない場合の、上りリンクグラントのリソース割り当ての解釈に用いられるＤＬ  ＣＣとＵＬ  ＣＣとの対応付けを示す情報は、情報データの通信が行なわれる前に、基地局装置３から移動局装置５にシステム情報を用いて通知される。
【００６７】
＜Ｃｒｏｓｓ  ｃａｒｒｉｅｒ  ｓｃｈｅｄｕｌｉｎｇ＞
ＰＤＣＣＨと、そのＰＤＣＣＨに対応する下りリンクアサインメントが含まれるＰＤＳＣＨが異なるＤＬ  ＣＣに配置されることができる（Cross carrier schedulingと呼称する。）。ＰＤＳＣＨが配置されるＤＬ  ＣＣを物理下りリンク共用チャネルコンポーネントキャリア（PDSCH CC）と呼称する。ＰＤＣＣＨが配置されるＤＬ  ＣＣを物理下りリンク制御チャネルコンポーネントキャリア（PDCCH CC）と呼称する。なお、セルアグリゲーションで用いられる全てのＤＬ  ＣＣにＰＤＳＣＨが配置される可能性がある場合、全てのＤＬ  ＣＣはＰＤＳＣＨ  ＣＣとなる。
【００６８】
ＰＤＣＣＨが配置されるＤＬ  ＣＣと、そのＰＤＣＣＨに対応する上りリンクグラントが含まれるＰＵＳＣＨが配置されるＵＬ  ＣＣとシステム情報で対応付けられるＤＬ  ＣＣを、異なるように設定されることができる。基地局装置３は、移動局装置５に各ＤＬ  ＣＣに対するシステム情報を通知し、そのシステム情報にはそのＤＬ  ＣＣと対応付けられるＵＬ  ＣＣを示す情報が含まれる。この対応付けを示す情報を含むシステム情報はＳＩＢ２（System Information Block Type2）と呼称し、ＳＩＢ２により示されるＤＬ  ＣＣとＵＬ  ＣＣの対応付けをＳＩＢ２  ｌｉｎｋａｇｅと呼称する。ＰＵＳＣＨが配置されるＵＬ  ＣＣを物理上りリンク共用チャネルコンポーネントキャリア（PUSCH CC）と呼称する。
【００６９】
基地局装置３は、セルアグリゲーションに用いる複数のＤＬ  ＣＣの中で何れのＤＬ  ＣＣをＰＤＣＣＨ  ＣＣとして用いるかを決定する。次に、基地局装置３は、各ＰＤＣＣＨ  ＣＣを何れのＰＤＳＣＨ  ＣＣ、何れのＰＵＳＣＨ  ＣＣと対応させるかを決定する。ここで、ＰＤＣＣＨ  ＣＣとＰＤＳＣＨ  ＣＣの対応付けとは、ＰＤＳＣＨ  ＣＣに配置されるＰＤＳＣＨのリソースの割り当てに関する制御情報を含むＰＤＣＣＨがＰＤＳＣＨ  ＣＣと対応付けられるＰＤＣＣＨ  ＣＣに配置されることを意味する。より詳細には、ＰＤＣＣＨ  ＣＣとＰＤＳＣＨ  ＣＣの対応付けとは、ＰＤＳＣＨ  ＣＣに配置されるＰＤＳＣＨに対応する下りリンクアサインメントであって、キャリアインディケータも構成される下りリンクアサインメントを含むＰＤＣＣＨが、ＰＤＳＣＨ  ＣＣと対応付けられたＰＤＣＣＨ  ＣＣに配置されることを意味する。ここで、ＰＤＣＣＨ  ＣＣとＰＵＳＣＨ  ＣＣの対応付けとは、ＰＵＳＣＨ  ＣＣに配置されるＰＵＳＣＨのリソースの割り当てに関する制御情報を含むＰＤＣＣＨがＰＵＳＣＨ  ＣＣと対応付けられるＰＤＣＣＨ  ＣＣに配置されることを意味する。より詳細には、ＰＤＣＣＨ  ＣＣとＰＵＳＣＨ  ＣＣの対応付けとは、ＰＵＳＣＨ  ＣＣに配置されるＰＵＳＣＨに対応する上りリンクグラントであって、キャリアインディケータも構成される上りリンクグラントを含むＰＤＣＣＨが、ＰＵＳＣＨ  ＣＣと対応付けられるＰＤＣＣＨ  ＣＣに配置されることを意味する。
【００７０】
ここで説明される対応付けは、上記で説明したように、キャリアインディケータを含まないＰＤＣＣＨに対してのＤＬ  ＣＣとＵＬ  ＣＣの対応付け（ＳＩＢ２  ｌｉｎｋａｇｅ）とは異なる。セルアグリゲーションに用いられる複数のＰＤＳＣＨ  ＣＣのそれぞれが同じＰＤＣＣＨ  ＣＣに対応付けられてもよいし、セルアグリゲーションに用いられる複数のＰＤＳＣＨ  ＣＣのそれぞれが異なるＰＤＣＣＨ  ＣＣに対応付けられてもよい。例えば、１個のＰＤＣＣＨ  ＣＣに複数のＰＤＳＣＨ  ＣＣが対応付けられる場合、そのＰＤＣＣＨ  ＣＣで送信されるＰＤＣＣＨが何れのＰＤＳＣＨ  ＣＣのＰＤＳＣＨのリソースの割り当てを示しているかはキャリアインディケータによって認識される。
【００７１】
基地局装置３は、各ＰＤＳＣＨ  ＣＣに対してＰＤＣＣＨ  ＣＣとして対応付けられた下りリンクコンポーネントキャリアを示す情報を移動局装置５に通知する。なお、この情報は無線リソース制御シグナリング（ＲＲＣシグナリング）を用いて通知される。移動局装置５は、基地局装置３よりＲＲＣシグナリングを用いて通知された情報に基づき、各ＰＤＳＣＨ  ＣＣのＰＤＳＣＨのキャリアインディケータ付きの下りリンクアサインメントを含むＰＤＣＣＨが配置される可能性のあるＤＬ  ＣＣを認識する。なお、ＰＣｅｌｌで送信されるＰＤＳＣＨの下りリンクアサインメントを含むＰＤＣＣＨはＰＣｅｌｌでのみ送信され、ＳＣｅｌｌで送信されるＰＤＳＣＨの下りリンクアサインメントを含むＰＤＣＣＨはＰＣｅｌｌ、またはＳＣｅｌｌで送信される。言い換えると、ＰＣｅｌｌでは必ずＰＤＣＣＨ  ＣＣとＰＤＳＣＨ  ＣＣが構成され、更にＰＣｅｌｌで構成されるＰＤＣＣＨ  ＣＣとＰＤＳＣＨ  ＣＣは対応付けられる。また、ＰＣｅｌｌのＰＵＳＣＨ  ＣＣは、ＰＣｅｌｌのＰＤＣＣＨ  ＣＣと対応付けられる。ＰＣｅｌｌのＰＤＳＣＨ  ＣＣとＰＵＳＣＨ  ＣＣはＳＩＢ２  ｌｉｎｋａｇｅを有する。ＳＣｅｌｌでは、ＰＤＳＣＨ  ＣＣは構成されるが、ＰＤＣＣＨ  ＣＣが構成されなくてもよい。ＳＣｅｌｌで構成されたＰＤＳＣＨ  ＣＣと対応付けられるＰＤＣＣＨ  ＣＣは、ＰＣｅｌｌで構成されてもよいし、その他のＳＣｅｌｌで構成されてもよい。なお、ＰＤＣＣＨ  ＣＣが構成されるセルでは必ずＰＤＳＣＨ  ＣＣとＰＵＳＣＨ  ＣＣが構成され、同一セル内のＰＤＣＣＨ  ＣＣとＰＤＳＣＨ  ＣＣ、およびＰＤＣＣＨ  ＣＣとＰＵＳＣＨ  ＣＣが対応付けられる。なお、ＲＲＣシグナリングはＰＤＳＣＨで通知される。なお、ＰＣｅｌｌのＰＤＳＣＨ  ＣＣおよびＰＵＳＣＨ  ＣＣと対応付けられるＰＤＳＣＨ  ＣＣは必ず同じＰＣｅｌｌに構成されるため、それらの関係を示す情報は移動局装置５に対して通知されない。また、Ｃｒｏｓｓ  ｃａｒｒｉｅｒ  ｓｃｈｅｄｕｌｉｎｇが適用されない場合、ＰＤＳＣＨ  ＣＣとＰＤＣＣＨ  ＣＣの対応付けを示す情報は基地局装置３から移動局装置５に対して通知されない。Ｃｒｏｓｓ  ｃａｒｒｉｅｒ  ｓｃｈｅｄｕｌｉｎｇが適用されない場合、下りリンクアサインメントにキャリアインディケータは含まれない。
【００７２】
例えば、図９に示す移動局装置５Ａにおいて、セルアグリゲーションが適用され、基地局装置３と直接的に信号の送受信が行なわれるセルがＰＣｅｌｌに設定され、リピーター４Ａ（または、ＲＲＨ）を介して基地局装置３と信号の送受信が行なわれるセルがＳＣｅｌｌに設定され、Ｃｒｏｓｓ  ｃａｒｒｉｅｒ  ｓｃｈｅｄｕｌｉｎｇが適用され、ＳＣｅｌｌで構成されたＰＤＳＣＨ  ＣＣと対応付けられるＰＤＣＣＨ  ＣＣがＰＣｅｌｌに構成される。
【００７３】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部１０１、無線リソース制御部１０３、制御部１０５、および、送信処理部１０７を含んで構成される。
【００７４】
受信処理部１０１は、制御部１０５の指示に従い、受信アンテナ１０９により移動局装置５から受信した、ＰＵＣＣＨ、ＰＵＳＣＨの受信信号を上りリンク参照信号を用いて復調し、復号して、制御情報、情報データを抽出する。受信処理部１０１は、自装置が移動局装置５にＰＵＣＣＨのリソースを割り当てた上りリンクサブフレーム、ＵＬ  ＰＲＢに対してＵＣＩを抽出する処理を行なう。受信処理部１０１は、何れの上りリンクサブフレーム、何れのＵＬ  ＰＲＢに対してどのような処理を行なうかを制御部１０５から指示される。例えば、受信処理部１０１は、ＡＣＫ／ＮＡＣＫ用のＰＵＣＣＨの信号に対して時間領域での符号系列の乗算と合成、周波数領域での符号系列の乗算と合成を行なう検出処理を制御部１０５から指示される。また、受信処理部１０１は、ＰＵＣＣＨからＵＣＩを検出する処理に用いる周波数領域の符号系列および／または時間領域の符号系列を制御部１０５から指示される。受信処理部１０１は、抽出したＵＣＩを制御部１０５に出力し、情報データを上位層に出力する。
【００７５】
また、受信処理部１０１は、制御部１０５の指示に従い、受信アンテナ１０９により移動局装置５から受信したＰＲＡＣＨの受信信号から、プリアンブル系列を検出（受信）する。また、受信処理部１０１は、プリアンブル系列の検出と共に、到来タイミングの推定も行なう。受信処理部１０１は、自装置がＰＲＡＣＨのリソースを割り当てた上りリンクサブフレーム、ＵＬ  ＰＲＢに対してプリアンブル系列を検出する処理を行なう。なお、受信処理部１０１は、Ｃｏｎｔｅｎｔｉｏｎ  ｂａｓｅｄ  Ｒａｎｄｏｍ  ａｃｃｅｓｓ手順に用いられないプリアンブル系列であって、何れの移動局装置５に対してもＤｅｄｉｃａｔｅｄ  ｒｅａｍｂｌｅとして割り当てられていないプリアンブル系列においては、受信したＰＲＡＣＨの信号から、そのプリアンブル系列が送信されたか否かの検出、到来タイミングの推定等の処理を行なわないようにすることができる。受信処理部１０１の詳細については、後述する。
【００７６】
無線リソース制御部１０３は、ＰＲＡＣＨに対するリソース（上りリンクサブフレーム、ＵＬ  ＰＲＢ）の割り当て、Ｄｅｄｉｃａｔｅｄ  ｐｒｅａｍｂｌｅの割り当て、ＰＤＣＣＨに対するリソースの割り当て、ＰＵＣＣＨに対するリソースの割り当て、ＰＤＳＣＨに対するＤＬ  ＰＲＢの割り当て、ＰＵＳＣＨに対するＵＬ  ＰＲＢの割り当て、各種チャネルの変調方式・符号化率・送信電力制御値などを設定する。なお、無線リソース制御部１０３は、ＰＵＣＣＨに対する周波数領域の符号系列、時間領域の符号系列なども設定する。また、無線リソース制御部１０３は、設定したＤｅｄｉｃａｔｅｄ  ｐｒｅａｍｂｌｅの割り当てを示す情報などを制御部１０５に出力する。無線リソース制御部１０３で設定された情報の一部は送信処理部１０７を介して移動局装置５に通知され、例えばＤｅｄｉｃａｔｅｄ  ｐｒｅａｍｂｌｅの割り当てを示す情報、ＰＲＡＣＨに対するリソースの割り当てを示す情報が移動局装置５に通知される。
【００７７】
また、無線リソース制御部１０３は、受信処理部１０１においてＰＵＣＣＨを用いて取得され、制御部１０５を介して入力されたＵＣＩに基づいてＰＤＳＣＨの無線リソースの割り当てなどを設定する。例えば、無線リソース制御部１０３は、ＰＵＣＣＨを用いて取得されたＡＣＫ／ＮＡＣＫが入力された場合、ＡＣＫ／ＮＡＣＫでＮＡＣＫが示されたＰＤＳＣＨのリソースの割り当てを移動局装置５に対して行なう。
【００７８】
無線リソース制御部１０３は、自装置がセルアグリゲーションを用いて通信を行なう場合、移動局装置５に対して複数のＤＬ  ＣＣ、複数のＵＬ  ＣＣを構成する。また、無線リソース制御部１０３は、移動局装置５に対してＰＤＣＣＨ  ＣＣ、ＰＤＣＣＨ  ＣＣと対応付けるＰＤＳＣＨ  ＣＣ、ＰＣｅｌｌ、ＳＣｅｌｌを設定する。無線リソース制御部１０３は、送信処理部１０７を介して何れのセルをＰＣｅｌｌと設定するかを示す情報、各ＳＣｅｌｌのＰＤＳＣＨ  ＣＣに対してＰＤＣＣＨ  ＣＣとして対応付けられたＤＬ  ＣＣを示す情報を移動局装置５に通知するように制御部１０５に出力する。なお、無線リソース制御部１０３は、移動局装置５が初期接続で接続したセルをＰＣｅｌｌと自動的に設定し、ＳＣｅｌｌを追加し、追加したＳＣｅｌｌの情報（ＤＬ  ＣＣの周波数、周波数帯域、ＵＬ  ＣＣの周波数、周波数帯域、セルインデックス）を移動局装置５に通知するようにしてもよい。
【００７９】
無線リソース制御部１０３は、各種制御信号を制御部１０５に出力する。例えば、制御信号は、Ｄｅｄｉｃａｔｅｄ  ｐｒｅａｍｂｌｅの割り当てを示す制御信号である。例えば、無線リソース制御部１０３は、Ｄｅｄｉｃａｔｅｄ  ｐｒｅａｍｂｌｅのプリアンブル系列、Ｄｅｄｉｃａｔｅｄ  ｐｒｅａｍｂｌｅの送信を許可するＰＲＡＣＨが配置される上りリンクサブフレームおよびＵＬ  ＰＲＢを示す制御信号を出力する。
【００８０】
制御部１０５は、無線リソース制御部１０３から入力された制御信号に基づき、ＰＤＳＣＨに対するＤＬ  ＰＲＢの割り当て、ＰＤＣＣＨに対するリソースの割り当て、ＰＤＳＣＨに対する変調方式の設定、ＰＤＳＣＨおよびＰＤＣＣＨに対する符号化率の設定などの制御を送信処理部１０７に対して行なう。また、制御部１０５は、無線リソース制御部１０３から入力された制御信号に基づき、ＰＤＣＣＨを用いて送信されるＤＣＩを生成し、送信処理部１０７に出力する。ＰＤＣＣＨを用いて送信されるＤＣＩは、ＰＤＣＣＨ  ｏｒｄｅｒに関する情報を含まない下りリンクアサインメント、ＰＤＣＣＨ  ｏｒｄｅｒに関する情報を含む下りリンクアサインメント、上りリンクグラントなどである。また、制御部１０５は、通信に用いるＤＬ  ＣＣおよびＵＬ  ＣＣを示す情報、ＰＣｅｌｌを示す情報、ＰＤＳＣＨ  ＣＣとＰＤＣＣＨ  ＣＣとの対応付けを示す情報、ＰＲＡＣＨのリソースの割り当てを示す情報などを、送信処理部１０７を介して移動局装置５にＰＤＳＣＨを用いて送信するように制御を行なう。
【００８１】
制御部１０５は、無線リソース制御部１０３から入力された制御信号に基づき、ＰＲＡＣＨに対するリソース（上りリンクサブフレーム、ＵＬ  ＰＲＢ）の割り当て、Ｄｅｄｉｃａｔｅｄ  ｐｒｅａｍｂｌｅの割り当て、ＰＵＳＣＨに対するＵＬ  ＰＲＢの割り当て、ＰＵＣＣＨに対するリソースの割り当て、ＰＵＳＣＨおよびＰＵＣＣＨの変調方式の設定、ＰＵＳＣＨの符号化率の設定、ＰＵＣＣＨに対する検出処理、ＰＵＣＣＨに対する符号系列の設定などの制御を受信処理部１０１に対して行なう。また、制御部１０５は、移動局装置５によってＰＵＣＣＨを用いて送信されたＵＣＩが受信処理部１０１より入力され、入力されたＵＣＩを無線リソース制御部１０３に出力する。
【００８２】
また、制御部１０５は、受信処理部１０１より、検出されたプリアンブル系列の到来タイミングを示す情報が入力され、上りリンクの送信タイミングの調整値（TA: Timing Advance、Timing Adjustment、Timing Alignment）（TA value）を算出する。算出された上りリンクの送信タイミングの調整値を示す情報（TA command）は、送信処理部１０７を介して移動局装置５に通知される。制御部１０５は、受信処理部１０１において、プリアンブル系列が検出（受信）された場合、移動局装置５のプリアンブル系列の送信に対する応答を示す情報を生成する。生成された応答を示す情報は、送信処理部１０７を介して移動局装置５に送信される。Ｄｅｄｉｃａｔｅｄ  ｐｒｅａｍｂｌｅの送信に対する応答を示す情報には、上りリンクの送信タイミングの調整値を示す情報が含まれる。また、Ｄｅｄｉｃａｔｅｄ  ｐｒｅａｍｂｌｅの送信に対する応答を示す情報には、プリアンブル系列に対応する識別子であるＲａｎｄｏｍ  ＩＤ（Ｒａｎｄｏｍ  Ａｃｃｅｓｓ  Ｐｒｅａｍｂｌｅ  Ｉｄｅｎｔｉｆｉｅｒとも呼称する）を示す情報、または移動局装置５に予め割り当てられた移動局装置識別子であるＣ−ＲＮＴＩ（Cell Radio Network Temporary Identifier）を示す情報が含まれる。Ｒａｎｄｏｍ  ＩＤは、６ビットにより構成され、６４個のプリアンブル系列のそれぞれに対して予め割り当てられており、プリアンブル系列を識別するための情報である。Ｒａｎｄｏｍ  ＩＤとプリアンブル系列の関係は、通信システムのルールとして決められている。Ｃ−ＲＮＴＩは、基地局装置３が管轄するセル内で基地局装置３との接続（ＲＲＣ  ｃｏｎｎｅｃｔｉｏｎ）が確立された移動局装置５を識別するための情報である。基地局装置３は、移動局装置５との接続確立時に、Ｃ−ＲＮＴＩを移動局装置５に割り当てる。
【００８３】
制御部１０５は、移動局装置５にとってＰＣｅｌｌ（第一のタイプのセル）であるセルでＤｅｄｉｃａｔｅｄ  ｐｒｅａｍｂｌｅを検出（受信）した場合、プリアンブル系列の受信に対する応答として、検出（受信）したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを検出（受信）したＰＣｅｌｌに対する上りリンクの送信タイミングの調整値を示す情報を生成し、生成した情報を送信処理部１０７を介して移動局装置５に送信するように制御する。制御部１０５は、移動局装置５にとってＳＣｅｌｌ（第二のタイプのセル）であるセルでＤｅｄｉｃａｔｅｄ  ｐｒｅａｍｂｌｅを検出（受信）した場合、プリアンブル系列の受信に対する応答として、検出したＤｅｄｉｃａｔｅｄ  ｐｒｅａｍｂｌｅを割り当てた移動局装置５に予め割り当てたＣ−ＲＮＴＩを示す情報と、Ｄｅｄｉｃａｔｅｄ  ｐｒｅａｍｂｌｅを検出（受信）したＳＣｅｌｌに対する上りリンクの送信タイミングの調整値を示す情報を生成し、生成した情報を送信処理部１０７を介して移動局装置５に送信するように制御する。
【００８４】
また、制御部１０５の処理については、以降の説明のように、言い換えることもできる。Ｃｒｏｓｓｃａｒｒｉｅｒ  ｓｃｈｅｄｕｌｉｎｇの設定により、対応するＰＤＣＣＨが他のセルに配置されるセルを第二のタイプのセルとする。第二のタイプに相当しないセルを第一のタイプのセルとする。第一のタイプのセルとしては、Ｃｒｏｓｓ  ｃａｒｒｉｅｒ  ｓｃｈｅｄｕｌｉｎｇが適用されないセル、Ｃｒｏｓｓ  ｃａｒｒｉｅｒ  ｓｃｈｅｄｕｌｉｎｇの設定により、異なるセルに自セルと対応するＰＤＣＣＨが配置されるセルがある。
【００８５】
制御部１０５は、移動局装置５にとって第一のタイプのセルであるセルでＤｅｄｉｃａｔｅｄ  ｐｒｅａｍｂｌｅを検出（受信）した場合、プリアンブル系列の受信に対する応答として、検出（受信）したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを検出（受信）した第一のタイプのセルに対する上りリンクの送信タイミングの調整値を示す情報を生成し、生成した情報を送信処理部１０７を介して移動局装置５に送信するように制御する。制御部１０５は、移動局装置５にとって第二のタイプのセルであるセルでＤｅｄｉｃａｔｅｄ  ｐｒｅａｍｂｌｅを検出（受信）した場合、プリアンブル系列の受信に対する応答として、検出したＤｅｄｉｃａｔｅｄ  ｐｒｅａｍｂｌｅを割り当てた移動局装置５に予め割り当てたＣ−ＲＮＴＩを示す情報と、Ｄｅｄｉｃａｔｅｄ  ｐｒｅａｍｂｌｅを検出（受信）した第二のタイプのセルに対する上りリンクの送信タイミングの調整値を示す情報を生成し、生成した情報を送信処理部１０７を介して移動局装置５に送信するように制御する。
【００８６】
より具体的には、制御部１０５は、第一のタイプのセルであるセルの上りリンクでＤｅｄｉｃａｔｅｄ  ｐｒｅａｍｂｌｅを検出（受信）した場合、プリアンブル系列の受信に対する応答として、ＲＡ−ＲＮＴＩ（Random Access-Radio Network Temporary Identifier：ランダムアクセスレスポンス識別子）を示す情報を第一のタイプのセルの下りリンクのＰＤＣＣＨで送信するように送信処理部１０７を制御すると共に、検出（受信）したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを検出（受信）した第一のタイプのセルに対する上りリンクの送信タイミングの調整値を示す情報を第一のタイプのセルの下りリンクのＰＤＳＣＨで送信するように送信処理部１０７を制御する。ここで、前記ＰＤＳＣＨのリソース割り当てを示す情報は、ＲＡ−ＲＮＴＩを示す情報を含むＰＤＣＣＨに含まれる。ＲＡ−ＲＮＴＩは、ＰＲＡＣＨと対応し、ＰＤＣＣＨによりリソース割り当てが示されるＰＤＳＣＨの情報に何れのＰＲＡＣＨに対応するランダムアクセス応答が含まれるかを示し、例えば、ＰＲＡＣＨが配置される上りリンクサブフレームの番号と対応付けられる。ここで、詳細には、予め決められた生成多項式を用いてＤＣＩから生成されたＣＲＣ符号に対して、ＲＡ−ＲＮＴＩを用いて排他的論理和の処理が行われた（スクランブルされた）ビット（情報）を変調した信号がＰＤＣＣＨで送信される。制御部１０５は、第二のタイプのセルであるセルの上りリンクでＤｅｄｉｃａｔｅｄ  ｐｒｅａｍｂｌｅを検出（受信）した場合、プリアンブル系列の受信に対する応答として、検出したＤｅｄｉｃａｔｅｄ  ｐｒｅａｍｂｌｅを割り当てた移動局装置５に予め割り当てたＣ−ＲＮＴＩを示す情報を第一のタイプのセルの下りリンクのＰＤＣＣＨで送信するように送信処理部１０７を制御すると共に、Ｄｅｄｉｃａｔｅｄ  ｐｒｅａｍｂｌｅを検出（受信）した第二のタイプのセルに対する上りリンクの送信タイミングの調整値を示す情報を第一のタイプのセル、または第二のタイプのセルの下りリンクのＰＤＳＣＨで送信するように送信処理部１０７を制御する。ここで、前記ＰＤＳＣＨのリソース割り当てを示す情報は、Ｃ−ＲＮＴＩを示す情報を含むＰＤＣＣＨに含まれる。ここで、詳細には、予め決められた生成多項式を用いてＤＣＩから生成されたＣＲＣ符号に対して、Ｃ−ＲＮＴＩを用いて排他的論理和の処理が行われた（スクランブルされた）ビット（情報）を変調した信号がＰＤＣＣＨで送信される。
【００８７】
送信処理部１０７は、制御部１０５から入力された制御信号に基づき、ＰＤＣＣＨ、ＰＤＳＣＨを用いて送信する信号を生成して、送信アンテナ１１１を介して送信する。送信処理部１０７は、無線リソース制御部１０３から入力された、セルアグリゲーションを用いた通信に用いるＤＬ  ＣＣおよびＵＬ  ＣＣを示す情報、ＰＣｅｌｌを示す情報、ＰＤＳＣＨ  ＣＣとＰＤＣＣＨ  ＣＣとの対応付けを示す情報、ＰＲＡＣＨのリソースを示す情報、上位層から入力された情報データ等をＰＤＳＣＨを用いて移動局装置５に対して送信し、制御部１０５から入力されたＤＣＩ（ＰＤＣＣＨ  ｏｒｄｅｒに関する情報）をＰＤＣＣＨを用いて移動局装置５に対して送信する。また、送信処理部１０７は、制御部１０５で生成されたプリアンブル系列の受信に対する応答を、ＰＤＣＣＨ、ＰＤＳＣＨを用いて送信する。なお、説明の簡略化のため、以降、情報データは数種の制御に関する情報を含むものとする。送信処理部１０７の詳細については、後述する。
【００８８】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部２０１−１〜２０１−Ｍを合わせて物理下りリンク共用チャネル処理部２０１と表す）、複数の物理下りリンク制御チャネル処理部２０３−１〜２０３−Ｍ（以下、物理下りリンク制御チャネル処理部２０３−１〜２０３−Ｍを合わせて物理下りリンク制御チャネル処理部２０３と表す）、下りリンクパイロットチャネル処理部２０５、多重部２０７、ＩＦＦＴ（Inverse Fast Fourier Transform; 高速逆フーリエ変換）部２０９、ＧＩ（Guard Interval; ガードインターバル）挿入部２１１、Ｄ／Ａ（Digital/Analog converter; ディジタルアナログ変換）部２１３、送信ＲＦ（Radio Frequency; 無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。なお、ここでは、送信アンテナの数が１本の場合について説明するが、複数の送信アンテナが構成されてもよい。
【００８９】
また、この図に示すように、物理下りリンク共用チャネル処理部２０１は、それぞれ、ターボ符号部２１９およびデータ変調部２２１を備える。また、この図に示すように、物理下りリンク制御チャネル処理部２０３は、畳み込み符号部２２３およびＱＰＳＫ変調部２２５を備える。物理下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調; QuadraturePhase Shift Keying）、１６ＱＡＭ（16値直交振幅変調; 16 QuadratureAmplitude Modulation）、６４ＱＡＭ（64値直交振幅変調; 64 QuadratureAmplitude Modulation）のような変調方式で変調し、変調シンボルの信号系列を生成する。データ変調部２２１は、生成した信号系列を、多重部２０７に出力する。
【００９０】
物理下りリンク制御チャネル処理部２０３は、制御部１０５から入力されたＤＣＩを、ＯＦＤＭ方式で伝送するためのベースバンド信号処理を行なう。畳み込み符号部２２３は、制御部１０５から入力された符号化率に基づき、ＤＣＩの誤り耐性を高めるための畳み込み符号化を行なう。ここで、ＤＣＩはビット単位で制御される。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化したＤＣＩをＱＰＳＫ変調部２２５に出力する。ＱＰＳＫ変調部２２５は、畳み込み符号部２２３が符号化したＤＣＩを、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号（Cell specific RSとも呼称する。）を生成し、多重部２０７に出力する。
【００９１】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンクサブフレームに多重する。無線リソース制御部１０３によって設定されたＰＤＳＣＨに対するＤＬ  ＰＲＢの割り当て、ＰＤＣＣＨに対するリソースの割り当てに関する制御信号が制御部１０５に入力され、その制御信号に基づき、制御部１０５は多重部２０７の処理を制御する。
【００９２】
なお、多重部２０７は、ＰＤＳＣＨとＰＤＣＣＨの多重を、基本的に図１０に示したように時間多重で行なう。また、多重部２０７は、下りリンクパイロットチャネルと、その他のチャネル間の多重は時間・周波数多重で行なう。また、多重部２０７は、各移動局装置５宛てのＰＤＳＣＨの多重をＤＬ  ＰＲＢ  ｐａｉｒ単位で行ない、１つの移動局装置５に対して複数のＤＬ  ＰＲＢ  ｐａｉｒを用いてＰＤＳＣＨを多重することもある。また、多重部２０７は、各移動局装置５宛てのＰＤＣＣＨの多重を同一のＤＬ  ＣＣ内のリソースを用いて行なう。多重部２０７は、多重化した信号を、ＩＦＦＴ部２０９に出力する。
【００９３】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【００９４】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital converter; アナログディジタル変換）部３０３、コンポーネントキャリア分離部３０５、複数の上りリンクコンポーネントキャリア毎受信処理部３０７−１〜３０７−Ｍ（以下、上りリンクコンポーネントキャリア毎受信処理部３０７−１〜３０７−Ｍを上りリンクコンポーネントキャリア毎受信処理部３０７と表す）、を含んで構成される。また、この図に示すように、上りリンクコンポーネントキャリア毎受信処理部３０７は、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、物理上りリンク制御チャネル検出部３２９、およびプリアンブル検出部３３１を備える。なお、各上りリンクコンポーネントキャリア毎受信処理部３０７は、同様の構成および機能を有するので、その一つを代表して説明する。
【００９５】
受信ＲＦ部３０１は、受信アンテナ１０９で受信された信号を、適切に増幅し、中間周波数に変換し（ダウンコンバート）、不要な周波数成分を除去し、信号レベルが適切に維持されるように増幅レベルを制御し、受信された信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をコンポーネントキャリア分離部３０５に出力する。コンポーネントキャリア分離部３０５は、上りリンクシステム帯域幅のＵＬ  ＣＣ毎に受信信号を分離し、各上りリンクコンポーネントキャリア毎受信処理部３０７に出力する。
【００９６】
上りリンクコンポーネントキャリア毎受信処理部３０７は、ＵＬ  ＣＣ内のＰＵＳＣＨ、ＰＵＣＣＨの復調、復号を行ない、情報データ、ＵＣＩを検出する。
【００９７】
シンボルタイミング検出部３０９は、コンポーネントキャリア分離部３０５より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、コンポーネントキャリア分離部３０５より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【００９８】
サブキャリアデマッピング部３１５は、制御部１０５から入力された制御信号に基づき、ＦＦＴ部３１３が復調した信号を、上りリンクパイロットチャネルの上りリンク参照信号と、ＰＵＳＣＨの信号と、ＰＵＣＣＨの信号とに分離する。サブキャリアデマッピング部３１５は、分離した上りリンク参照信号を伝搬路推定部３１７に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【００９９】
伝搬路推定部３１７は、サブキャリアデマッピング部３１５が分離した上りリンク参照信号と既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【０１００】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【０１０１】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【０１０２】
物理上りリンク制御チャネル検出部３２９は、ＰＵＣＣＨ用の伝搬路等化部３２１から入力された信号を復調、復号し、ＵＣＩを検出する。物理上りリンク制御チャネル検出部３２９は、周波数領域、および／または周波数領域で符号多重された信号を分離する処理を行なう。物理上りリンク制御チャネル検出部３２９は、送信側で用いられた符号系列を用いて周波数領域、および／または時間領域で符号多重されたＰＵＣＣＨの信号からＡＣＫ／ＮＡＣＫ、ＳＲ、ＣＱＩを検出するための処理を行う。具体的には、物理上りリンク制御チャネル検出部３２９は、周波数領域での符号系列を用いた検出処理、つまり周波数領域で符号多重された信号を分離する処理として、ＰＵＣＣＨのサブキャリア毎の信号に対して符号系列の各符号を乗算した後、各符号を乗算した信号を合成する。具体的には、物理上りリンク制御チャネル検出部３２９は、時間領域での符号系列を用いた検出処理、つまり時間領域での符号多重された信号を分離する処理として、ＰＵＣＣＨのＳＣ−ＦＤＭＡシンボル毎の信号に対して符号系列の各符号を乗算した後、各符号を乗算した信号を合成する。なお、物理上りリンク制御チャネル検出部３２９は、制御部１０５からの制御信号に基づき、ＰＵＣＣＨの信号に対する検出処理を設定する。
【０１０３】
プリアンブル検出部３３１は、コンポーネントキャリア分離部３０５より入力された信号に基づいて、ＰＲＡＣＨに相当する受信信号に対して送信されたプリアンブルを検出（受信）する処理を行なう。具体的には、プリアンブル検出部３３１は、ガードタイム内の様々なタイミングの受信信号に対して、送信される可能性のある、各プリアンブル系列を用いて生成したレプリカの信号との相関処理を行なう。例えば、プリアンブル検出部３３１は、相関値が予め設定された閾値よりも高かった場合、相関処理に用いられたレプリカの信号の生成に用いられたプリアンブル系列と同一の信号が、移動局装置５より送信されたと判断する。そして、プリアンブル検出部３３１は、最も相関値の高いタイミングをプリアンブル系列の到来タイミングと判断する。そして、プリアンブル検出部３３１は、検出したプリアンブル系列を示す情報と、到来タイミングを示す情報を少なくとも含むプリアンブル検出情報を生成し、制御部１０５に出力する。
【０１０４】
制御部１０５は、基地局装置３が、移動局装置５にＰＤＣＣＨを用いて送信した制御情報（ＤＣＩ）、及びＰＵＳＣＨを用いて送信した制御情報に基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が移動局装置５に送信した制御情報に基づき、各移動局装置５が送信した（送信した可能性のある）ＰＲＡＣＨ、ＰＵＳＣＨ、ＰＵＣＣＨがどのリソース（上りリンクサブフレーム、ＵＬ  ＰＲＢ、プリアンブル系列、周波数領域の符号系列、時間領域の符号系列）により構成されているかを把握している。
【０１０５】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部４０１、無線リソース制御部４０３、制御部４０５、送信処理部４０７（送信部）を含んで構成される。また、制御部４０５は、ランダムアクセス手順判断部４０５１を備える。
【０１０６】
受信処理部４０１は、基地局装置３から信号を受信し、制御部４０５の指示に従い、受信信号を復調、復号する。受信処理部４０１は、自装置宛てのＰＤＣＣＨの信号を検出した場合は、ＰＤＣＣＨの信号を復号して取得したＤＣＩを制御部４０５に出力する。例えば、受信処理部４０１は、ＰＤＣＣＨに含まれるＤｅｄｉｃａｔｅｄ  ｐｒｅａｍｂｌｅの割り当てに関する制御情報を制御部４０５に出力する。また、受信処理部４０１は、ＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。ＰＤＣＣＨに含まれるＤＣＩの中で、Ｄｅｄｉｃａｔｅｄ  ｐｒｅａｍｂｌｅの割り当てに関する情報を含まない下りリンクアサインメントがＰＤＳＣＨのリソースの割り当てを示す情報を含む。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、ＰＣｅｌｌを示す情報、ＰＤＳＣＨ  ＣＣとＰＤＣＣＨ  ＣＣとの対応付けを示す情報、ＰＲＡＣＨのリソースの割り当てを示す情報を含む。
【０１０７】
また、受信処理部４０１は、ＰＤＳＣＨに含まれる巡回冗長検査（Cyclic Redundancy Check: CRC）符号を制御部４０５に出力する。基地局装置３の説明では省略したが、基地局装置３の送信処理部１０７は情報データからＣＲＣ符号を生成し、情報データとＣＲＣ符号をＰＤＳＣＨで送信する。ＣＲＣ符号は、ＰＤＳＣＨに含まれるデータが誤っているか、誤っていないかを判断するために使われ、予め決められた生成多項式を用いてデータから生成された情報とＣＲＣ符号が同じ場合はデータが誤っていないと判断され、予め決められた生成多項式を用いてデータから生成された情報とＣＲＣ符号が異なる場合はデータが誤っていると判断される。
【０１０８】
また、受信処理部４０１は、制御部４０５の指示に基づき、Ｄｅｄｉｃａｔｅｄ  ｐｒｅａｍｂｌｅの送信に対する応答を受信する。例えば、受信処理部４０１は、Ｄｅｄｉｃａｔｅｄ  ｐｒｅａｍｂｌｅの送信に用いたＰＲＡＣＨに対応するＲＡ−ＲＮＴＩを示す情報を第一のタイプのセルのＰＤＣＣＨで受信し、送信したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを送信した第一のタイプのセルに対する上りリンクの送信タイミングの調整値を示す情報とを第一のタイプのセルのＰＤＳＣＨで受信する。例えば、受信処理部４０１は、自装置に予め割り当てられたＣ−ＲＮＴＩを示す情報を第一のタイプのセルのＰＤＣＣＨで受信し、Ｄｅｄｉｃａｔｅｄ  ｐｒｅａｍｂｌｅを送信した第二のタイプのセルに対する上りリンクの送信タイミングの調整値を示す情報を第一のタイプのセル、または第二のタイプのセルのＰＤＳＣＨで受信する。受信処理部４０１の詳細については後述する。
【０１０９】
制御部４０５は、ランダムアクセス手順判断部４０５１を備える。制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、無線リソース制御部４０３からの指示に基づき、受信処理部４０１、送信処理部４０７を制御する。また、制御部４０５は、ＰＤＣＣＨを用いて基地局装置３から送信され、受信処理部４０１より入力されたＤＣＩに基づいて、受信処理部４０１、送信処理部４０７を制御する。具体的には、制御部４０５は検出された、Ｄｅｄｉｃａｔｅｄ  ｐｒｅａｍｂｌｅの割り当てに関する情報を含む下りリンクアサインメントに基づき送信処理部４０７を制御する。具体的には、制御部４０５は検出された、Ｄｅｄｉｃａｔｅｄ  ｐｒｅａｍｂｌｅの割り当てに関する情報を含まない下りリンクアサインメントに基づき受信処理部４０１を制御し、検出された上りリンクグラントに基づき送信処理部４０７を制御する。また、制御部４０５は、予め決められた生成多項式を用いて受信処理部４０１より入力されたデータと受信処理部４０１より入力されたＣＲＣ符号を比較し、データが誤っているか否かを判断し、ＡＣＫ／ＮＡＣＫを生成する。また、制御部４０５は、無線リソース制御部４０３からの指示に基づき、ＳＲ、ＣＱＩを生成する。また、制御部４０５は、基地局装置３から通知された上りリンクの送信タイミングの調整値等に基づいて、送信処理部４０７の信号の送信タイミングを制御する。上りリンクの送信タイミングの調整の詳細については後述する。
【０１１０】
制御部４０５は、ＰＣｅｌｌ（第一のタイプのセル）でＤｅｄｉｃａｔｅｄ  ｐｒｅａｍｂｌｅを送信するように送信処理部４０７を制御した場合、プリアンブル系列の送信に対する応答として、送信したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを送信したＰＣｅｌｌに対する上りリンクの送信タイミングの調整値を示す情報を基地局装置３より受信するように受信処理部４０１を制御する。制御部４０５は、ＳＣｅｌｌ（第二のタイプのセル）でＤｅｄｉｃａｔｅｄ  ｐｒｅａｍｂｌｅを送信するように送信処理部４０７を制御した場合、プリアンブル系列の送信に対する応答として、自装置に予め割り当てられたＣ−ＲＮＴＩを示す情報と、Ｄｅｄｉｃａｔｅｄ  ｐｒｅａｍｂｌｅを送信したＳＣｅｌｌに対する上りリンクの送信タイミングの調整値を示す情報を基地局装置３より受信するように受信処理部４０１を制御する。
【０１１１】
また、制御部１０５の処理については、以降の説明のように、言い換えることもできる。Ｃｒｏｓｓｃａｒｒｉｅｒ  ｓｃｈｅｄｕｌｉｎｇの設定により、自セルに対応するＰＤＣＣＨが他のセルに配置されるセルを第二のタイプのセルとする。第二のタイプに相当しないセルを第一のタイプのセルとする。つまり、自セルに対応するＰＤＣＣＨが他のセルに配置されないセルを第一のタイプのセルとする。第一のタイプのセルとしては、Ｃｒｏｓｓ  ｃａｒｒｉｅｒ  ｓｃｈｅｄｕｌｉｎｇが適用されないセル、Ｃｒｏｓｓ  ｃａｒｒｉｅｒ  ｓｃｈｅｄｕｌｉｎｇの設定により、他のセルに対応するＰＤＣＣＨが自セルに配置されるセルである。
【０１１２】
制御部４０５は、第一のタイプのセルでＤｅｄｉｃａｔｅｄ  ｐｒｅａｍｂｌｅを送信するように送信処理部４０７を制御した場合、プリアンブル系列の送信に対する応答として、送信したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを送信した第一のタイプのセルに対する上りリンクの送信タイミングの調整値を示す情報を基地局装置３より受信するように受信処理部４０１を制御する。制御部４０５は、第二のタイプのセルでＤｅｄｉｃａｔｅｄ  ｐｒｅａｍｂｌｅを送信するように送信処理部４０７を制御した場合、プリアンブル系列の送信に対する応答として、自装置に予め割り当てられたＣ−ＲＮＴＩを示す情報と、Ｄｅｄｉｃａｔｅｄ  ｐｒｅａｍｂｌｅを送信した第二のタイプのセルに対する上りリンクの送信タイミングの調整値を示す情報を基地局装置３より受信するように受信処理部４０１を制御する。
【０１１３】
より具体的には、制御部４０５は、第一のタイプのセルであるセルの上りリンクでＤｅｄｉｃａｔｅｄ  ｐｒｅａｍｂｌｅを送信するように送信処理部４０７を制御した場合、プリアンブル系列の送信に対する応答として、ＲＡ−ＲＮＴＩを示す情報を第一のタイプのセルの下りリンクのＰＤＣＣＨで受信するように受信処理部４０１を制御すると共に、送信したＤｅｄｉｃａｔｅｄ  ｐｒｅａｍｂｌｅに対応するＲａｎｄｏｍ  ＩＤを示す情報と、Ｄｅｄｉｃａｔｅｄ  ｐｒｅａｍｂｌｅを送信した第一のタイプのセルに対する上りリンクの送信タイミングの調整値を示す情報を第一のタイプのセルの下りリンクのＰＤＳＣＨで受信するように受信処理部４０１を制御する。ここで、前記ＰＤＳＣＨのリソース割り当てを示す情報は、ＲＡ−ＲＮＴＩを示す情報を含むＰＤＣＣＨに含まれる。制御部４０５は、第二のタイプのセルであるセルの上りリンクでＤｅｄｉｃａｔｅｄ  ｐｒｅａｍｂｌｅを送信するように送信処理部４０７を制御した場合、プリアンブル系列の送信に対する応答として、自装置に予め割り当てられたＣ−ＲＮＴＩを示す情報を第一のタイプのセルの下りリンクのＰＤＣＣＨで受信するように受信処理部４０１を制御すると共に、Ｄｅｄｉｃａｔｅｄ  ｐｒｅａｍｂｌｅを送信した第二のタイプのセルに対する上りリンクの送信タイミングの調整値を示す情報を第一のタイプのセル、または第二のタイプのセルの下りリンクのＰＤＳＣＨで受信するように受信処理部４０１を制御する。ここで、前記ＰＤＳＣＨのリソース割り当てを示す情報は、Ｃ−ＲＮＴＩを示す情報を含むＰＤＣＣＨに含まれる。
【０１１４】
ランダムアクセス手順判断部４０５１は、Ｎｏｎ−ｃｏｎｔｅｎｔｉｏｎ  ｂａｓｅｄ  Ｒａｎｄｏｍ  Ａｃｃｅｓｓ手順の実行、再実行、終了を判断して、関連する処理を制御する。ランダムアクセス手順判断部４０５１は、制御部４０５にＤｅｄｉｃａｔｅｄ  ｐｒｅａｍｂｌｅの割り当てに関する情報が（ＰＤＣＣＨ  ｏｒｄｅｒにより）入力された場合、入力された情報に基づいて、ＰＣｅｌｌ（第一のタイプのセル）、またはＳＣｅｌｌ（第二のタイプのセル）においてＮｏｎ−ｃｏｎｔｅｎｔｉｏｎ  ｂａｓｅｄ  Ｒａｎｄｏｍ  Ａｃｃｅｓｓ手順を実行すると判断する。ランダムアクセス手順判断部４０５１は、自移動局装置５がＰＣｅｌｌでＤｅｄｉｃａｔｅｄ  ｐｒｅａｍｂｌｅを送信した場合、Ｄｅｄｉｃａｔｅｄ  ｐｒｅａｍｂｌｅの送信に対する応答として、送信したＤｅｄｉｃａｔｅｄ  ｐｒｅａｍｂｌｅに対応する識別子（Ｒａｎｄｏｍ  ＩＤ）を示す情報と、Ｄｅｄｉｃａｔｅｄ  ｐｒｅａｍｂｌｅを送信したＰＣｅｌｌに対する上りリンクの送信タイミングの調整値を示す情報を基地局装置３より受信処理部４０１を介して受信したら、Ｎｏｎ−ｃｏｎｔｅｎｔｉｏｎ  ｂａｓｅｄ  Ｒａｎｄｏｍ  Ａｃｃｅｓｓ手順を終了すると判断する。ランダムアクセス手順判断部４０５１は、自移動局装置５がＳＣｅｌｌでＤｅｄｉｃａｔｅｄ  ｐｒｅａｍｂｌｅを送信した場合、Ｄｅｄｉｃａｔｅｄ  ｐｒｅａｍｂｌｅの送信に対する応答として、自移動局装置５に予め割り当てられた移動局装置識別子（Ｃ−ＲＮＴＩ）を示す情報と、Ｄｅｄｉｃａｔｅｄ  ｐｒｅａｍｂｌｅを送信したＳＣｅｌｌに対する上りリンクの送信タイミングの調整値を示す情報を基地局装置３より受信処理部４０１を介して受信したら、Ｎｏｎ−ｃｏｎｔｅｎｔｉｏｎ  ｂａｓｅｄ  Ｒａｎｄｏｍ  Ａｃｃｅｓｓ手順を終了すると判断する。ランダムアクセス手順判断部４０５１は、自移動局装置５がＰＣｅｌｌ、またはＳＣｅｌｌでＤｅｄｉｃａｔｅｄ  ｐｒｅａｍｂｌｅを送信してから所定の期間の間に、Ｄｅｄｉｃａｔｅｄ  ｐｒｅａｍｂｌｅの送信に対する応答を受信処理部４０１を介して受信しなかったら、Ｎｏｎ−ｃｏｎｔｅｎｔｉｏｎ  ｂａｓｅｄ  Ｒａｎｄｏｍ  Ａｃｃｅｓｓ手順を再実行するように判断する。
【０１１５】
また、ランダムアクセス手順判断部４０５１の処理については、以降の説明のように、言い換えることもできる。Ｃｒｏｓｓ  ｃａｒｒｉｅｒ  ｓｃｈｅｄｕｌｉｎｇの設定により、対応するＰＤＣＣＨが他のセルに配置されるセルを第二のタイプのセルとする。第二のタイプに相当しないセルを第一のタイプのセルとする。つまり、対応するＰＤＣＣＨが他のセルに配置されないセルを第一のタイプのセルとする。第一のタイプのセルとしては、Ｃｒｏｓｓ  ｃａｒｒｉｅｒ  ｓｃｈｅｄｕｌｉｎｇが適用されないセル、Ｃｒｏｓｓ  ｃａｒｒｉｅｒ  ｓｃｈｅｄｕｌｉｎｇの設定により、他のセルに対応するＰＤＣＣＨが自セルに配置されるセルである。
【０１１６】
ランダムアクセス手順判断部４０５１は、自移動局装置５が第一のタイプのセルでＤｅｄｉｃａｔｅｄ  ｐｒｅａｍｂｌｅを送信した場合、Ｄｅｄｉｃａｔｅｄ  ｐｒｅａｍｂｌｅの送信に対する応答として、送信したＤｅｄｉｃａｔｅｄ  ｐｒｅａｍｂｌｅに対応する識別子（Ｒａｎｄｏｍ  ＩＤ）を示す情報と、Ｄｅｄｉｃａｔｅｄ  ｐｒｅａｍｂｌｅを送信した第一のタイプのセルに対する上りリンクの送信タイミングの調整値を示す情報を基地局装置３より受信処理部４０１を介して受信したら、Ｎｏｎ−ｃｏｎｔｅｎｔｉｏｎ  ｂａｓｅｄ  Ｒａｎｄｏｍ  Ａｃｃｅｓｓ手順を終了すると判断する。ここで、送信したＤｅｄｉｃａｔｅｄ  ｐｒｅａｍｂｌｅに対応する識別子（Ｒａｎｄｏｍ  ＩＤ）を示す情報と、Ｄｅｄｉｃａｔｅｄ  ｐｒｅａｍｂｌｅを送信した第一のタイプのセルに対する上りリンクの送信タイミングの調整値を示す情報は、第一のタイプのセルのＤＬ  ＣＣにおいて受信される。
【０１１７】
ランダムアクセス手順判断部４０５１は、自移動局装置５が第二のタイプのセルでＤｅｄｉｃａｔｅｄ  ｐｒｅａｍｂｌｅを送信した場合、Ｄｅｄｉｃａｔｅｄ  ｐｒｅａｍｂｌｅの送信に対する応答として、自移動局装置５に予め割り当てられた移動局装置識別子（Ｃ−ＲＮＴＩ）を示す情報と、Ｄｅｄｉｃａｔｅｄ  ｐｒｅａｍｂｌｅを送信した第二のタイプのセルに対する上りリンクの送信タイミングの調整値を示す情報を基地局装置３より受信処理部４０１を介して受信したら、Ｎｏｎ−ｃｏｎｔｅｎｔｉｏｎ  ｂａｓｅｄ  Ｒａｎｄｏｍ  Ａｃｃｅｓｓ手順を終了すると判断する。ここで、自移動局装置５に予め割り当てられた移動局装置識別子（Ｃ−ＲＮＴＩ）を示す情報は第一のタイプのセルのＤＬ  ＣＣにおいて受信され、Ｄｅｄｉｃａｔｅｄ  ｐｒｅａｍｂｌｅを送信した第二のタイプのセルに対する上りリンクの送信タイミングの調整値を示す情報は第一のタイプのセル、または第二のタイプのセルのＤＬ  ＣＣにおいて受信される。ここで、何れのセルにＤＬ  ＣＣにおいてＤｅｄｉｃａｔｅｄ  ｐｒｅａｍｂｌｅを送信した第二のタイプのセルに対する上りリンクの送信タイミングの調整値を示す情報が送信されるかは、基地局装置３によって決められ、ＰＤＣＣＨに含まれるキャリアインディケータで示される。
【０１１８】
ランダムアクセス手順判断部４０５１は、自移動局装置５が第一のタイプのセル、または第二のタイプのセルでＤｅｄｉｃａｔｅｄ  ｐｒｅａｍｂｌｅを送信してから所定の期間の間に、Ｄｅｄｉｃａｔｅｄ  ｐｒｅａｍｂｌｅの送信に対する応答を基地局装置３より受信処理部４０１を介して受信しなかったら、Ｄｅｄｉｃａｔｅｄ  ｐｒｅａｍｂｌｅを送信したセルでＮｏｎ−ｃｏｎｔｅｎｔｉｏｎ  ｂａｓｅｄ  Ｒａｎｄｏｍ  Ａｃｃｅｓｓ手順を再実行するように判断する。
【０１１９】
なお、上記説明で、「受信」という処理は「検出」という処理と同じ意味を適宜含むことが考慮されるべきである。上記説明で「受信した」という処理の意味は、受信した信号の復調、復号等を行ない、対象となる情報を検出したことを意味する場合があることが考慮されるべきである。また、関連しない情報、例えば、他の移動局装置５に関連する情報であり、自移動局装置５に関連しない情報を検出したことは、上記説明で「受信した」という処理の意味に適宜含まれないことが考慮されるべきである。
【０１２０】
なお、送信電力に関連するパラメータとして、セル固有、および移動局装置固有のパラメータはＰＤＳＣＨを用いて基地局装置３より通知され、送信電力制御コマンドはＰＤＣＣＨを用いて基地局装置３より通知される。ＰＵＳＣＨに対する送信電力制御コマンドは上りリンクグラントに含まれ、ＰＵＣＣＨに対する送信電力制御コマンドは下りリンクアサインメントに含まれる。なお、制御部４０５は、送信されるＵＣＩの種類に応じてＰＵＣＣＨの信号構成を制御している。
【０１２１】
無線リソース制御部４０３は、基地局装置３の無線リソース制御部１０３で生成され、基地局装置３より通知された制御情報を記憶して保持すると共に、制御部４０５を介して受信処理部４０１、送信処理部４０７の制御を行なう。つまり、無線リソース制御部４０３は、各種パラメータなどを保持するメモリの機能を備える。
【０１２２】
送信処理部４０７は、制御部４０５の指示に従い、情報データ、ＵＣＩを符号化および変調した信号をＰＵＳＣＨ、ＰＵＣＣＨのリソースを用いて、基地局装置３に送信アンテナ４１１を介して送信する。また、送信処理部４０７は、制御部４０５の指示に従い、ＰＲＡＣＨのリソースを用いて、Ｄｅｄｉｃａｔｅｄ  ｐｒｅａｍｂｌｅを基地局装置３に送信する。また、送信処理部４０７は、制御部４０５の指示に従い、ＰＵＳＣＨ、ＰＵＣＣＨの送信電力を設定する。また、送信処理部４０７は、制御部４０５の指示に従い、信号の送信タイミングが制御される。送信処理部４０７の詳細については後述する。
【０１２３】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、ＰＤＳＣＨ用の伝搬路補償部５１５、物理下りリンク共用チャネル復号部５１７、ＰＤＣＣＨ用の伝搬路補償部５１９、および、物理下りリンク制御チャネル復号部５２１、を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、および、ビタビデコーダ部５２９、を備える。なお、本発明の実施形態では、受信処理部４０１において受信アンテナ４０９の数が１つの場合について示すが、複数の受信アンテナが構成されてもよい。
【０１２４】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１２５】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１２６】
多重分離部５１１は、制御部４０５から入力された制御信号に基づき、ＦＦＴ部５０９が復調した信号を、ＰＤＣＣＨの信号と、ＰＤＳＣＨの信号とに分離する。多重分離部５１１は、分離したＰＤＳＣＨの信号を、ＰＤＳＣＨ用の伝搬路補償部５１５に出力し、また、分離したＰＤＣＣＨの信号を、ＰＤＣＣＨ用の伝搬路補償部５１９に出力する。また、多重分離部５１１は、下りリンクパイロットチャネルが配置される下りリンクリソースエレメントを分離し、下りリンクパイロットチャネルの下りリンク参照信号を、伝搬路推定部５１３に出力する。なお、多重分離部５１１は、ＰＤＣＣＨ  ＣＣの信号をＰＤＣＣ用の伝搬路補償部５１９に出力し、ＰＤＳＣＨ  ＣＣの信号をＰＤＳＣＨ用の伝搬路補償部５１５に出力する。
【０１２７】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝搬路補償値を、ＰＤＳＣＨ用の伝搬路補償部５１５と、ＰＤＣＣＨ用の伝搬路補償部５１９に出力する。ＰＤＳＣＨ用の伝搬路補償部５１５は、多重分離部５１１が分離したＰＤＳＣＨの信号の振幅および位相を、伝搬路推定部５１３から入力された伝搬路補償値に従って調整する。ＰＤＳＣＨ用の伝搬路補償部５１５は、伝搬路を調整した信号を物理下りリンク共用チャネル復号部５１７のデータ復調部５２３に出力する。
【０１２８】
物理下りリンク共用チャネル復号部５１７は、制御部４０５からの指示に基づき、ＰＤＳＣＨの復調、復号を行ない、情報データを検出する。データ復調部５２３は、伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣ符号も制御部４０５に出力される。
【０１２９】
ＰＤＣＣＨ用の伝搬路補償部５１９は、多重分離部５１１が分離したＰＤＣＣＨの信号の振幅および位相を、伝搬路推定部５１３から入力された伝搬路補償値に従って調整する。ＰＤＣＣＨ用の伝搬路補償部５１９は、調整した信号を物理下りリンク制御チャネル復号部５２１のＱＰＳＫ復調部５２７に出力する。
【０１３０】
物理下りリンク制御チャネル復号部５２１は、以下のように、ＰＤＣＣＨ用の伝搬路補償部５１９から入力された信号を復調、復号し、制御データを検出する。ＱＰＳＫ復調部５２７は、ＰＤＣＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行なうビットの数を調整するためにレートデマッチングも行なう。
【０１３１】
移動局装置５は、複数の符号化率を想定して、ＰＤＣＣＨに対して自装置宛てのＤＣＩを検出する処理を行なう。移動局装置５は、想定する符号化率毎に異なる復号処理をＰＤＣＣＨの信号に対して行ない、ＤＣＩと一緒にＰＤＣＣＨに付加されるＣＲＣ符号に誤りが検出されなかったＰＤＣＣＨに含まれるＤＣＩを取得する。このような処理をブラインドデコーディングと称す。なお、移動局装置５は、ＤＬ  ＣＣの全てのリソースの信号に対してブラインドデコーディングを行なうのではなく、一部のリソースの信号に対してのみブラインドデコーディングを行なうようにしてもよい。ブラインドでコーディングが行なわれる一部のリソースの領域をＳｅａｒｃｈ  ｓｐａｃｅと呼称する。また、移動局装置５は、符号化率毎に異なるリソースに対してブラインドデコーディングを行なうようにしてもよい。
【０１３２】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩがＤｅｄｉｃａｔｅｄ  ｐｒｅａｍｂｌｅに関する情報を含まない下りリンクアサインメントである場合、リソースを割り当てられたＤＬ  ＣＣでＰＤＳＣＨの信号を復号するように受信処理部４０１を制御する。なお、ＰＤＣＣＨにおいてもＰＤＳＣＨと同様にＣＲＣ符号が含まれており、制御部４０５はＣＲＣ符号を用いてＰＤＣＣＨのＤＣＩが誤っているか否かを判断する。例えば、制御部４０５は、ＤＣＩがＤｅｄｉｃａｔｅｄ  ｐｒｅａｍｂｌｅに関する情報を含む下りリンクアサインメントである場合、割り当てられたプリアンブル系列を用いてＰＲＡＣＨの信号を送信するように送信処理部４０７を制御する。
【０１３３】
＜移動局装置５の送信処理部４０７＞
図６は、本発明の実施形態に係る移動局装置５の送信処理部４０７の構成を示す概略ブロック図である。この図に示すように、送信処理部４０７は、複数の上りリンクコンポーネントキャリア毎送信処理部６０１−１〜６０１−Ｍ（以下、上りリンクコンポーネントキャリア毎送信処理部６０１−１〜６０１−Ｍを合わせて上りリンクコンポーネントキャリア毎送信処理部６０１と表す）、コンポーネントキャリア合成部６０３、Ｄ／Ａ部６０５、送信ＲＦ部６０７、および、送信アンテナ４１１を含んで構成される。また、この図に示すように、上りリンクコンポーネントキャリア毎送信処理部６０１は、ターボ符号部６１１、データ変調部６１３、ＤＦＴ部６１５、上りリンクパイロットチャネル処理部６１７、物理上りリンク制御チャネル処理部６１９、サブキャリアマッピング部６２１、ＩＦＦＴ部６２３、ＧＩ挿入部６２５、送信電力調整部６２７、およびランダムアクセスチャネル処理部６２９を備える。移動局装置５は、対応する数のＵＬ  ＣＣ分の上りリンクコンポーネントキャリア毎送信処理部６０１を有する。なお、各上りリンクコンポーネントキャリア毎送信処理部６０１は、同様の構成および機能を有するので、その一つを代表して説明する。
【０１３４】
上りリンクコンポーネントキャリア毎送信処理部６０１は、制御部４０５から指示されたプリアンブル系列を用いて、ＵＬ  ＣＣ内のＰＲＡＣＨで送信する信号を生成し、ＰＲＡＣＨの送信電力を調整する。また、上りリンクコンポーネントキャリア毎送信処理部６０１は、情報データ、ＵＣＩに対して符号化、変調を行ない、ＵＬ  ＣＣ内のＰＵＳＣＨ、ＰＵＣＣＨを用いて送信する信号を生成し、ＰＵＳＣＨ、ＰＵＣＣＨの送信電力を調整する。ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。ＤＦＴ部６１５は、データ変調部６１３が出力した信号を離散フーリエ変換し、サブキャリアマッピング部６２１に出力する。
【０１３５】
物理上りリンク制御チャネル処理部６１９は、制御部４０５から入力されたＵＣＩを伝送するためのベースバンド信号処理を行なう。物理上りリンク制御チャネル処理部６１９に入力されるＵＣＩは、ＡＣＫ／ＮＡＣＫ、ＳＲ、ＣＱＩである。物理上りリンク制御チャネル処理部６１９は、ベースバンド信号処理を行ない、生成した信号をサブキャリアマッピング部６２１に出力する。物理上りリンク制御チャネル処理部６１９は、ＵＣＩの情報ビットを符号化して信号を生成する。
【０１３６】
また、物理上りリンク制御チャネル処理部６１９は、ＵＣＩから生成される信号に対して周波数領域の符号多重および／または時間領域の符号多重に関連する信号処理を行なう。物理上りリンク制御チャネル処理部６１９は、ＡＣＫ／ＮＡＣＫの情報ビット、またはＳＲの情報ビット、またはＣＱＩの情報ビットから生成されるＰＵＣＣＨの信号に対して周波数領域の符号多重を実現するために制御部４０５から指示された符号系列を乗算する。物理上りリンク制御チャネル処理部６１９は、ＡＣＫ／ＮＡＣＫの情報ビット、またはＳＲの情報ビットから生成されるＰＵＣＣＨの信号に対して時間領域の符号多重を実現するために制御部４０５から指示された符号系列を乗算する。
【０１３７】
上りリンクパイロットチャネル処理部６１７は、基地局装置３において既知の信号である上りリンク参照信号を制御部４０５からの指示に基づき生成し、サブキャリアマッピング部６２１に出力する。
【０１３８】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。
【０１３９】
ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行なう。ＧＩ挿入部６２５は、ＩＦＦＴ部６２３から入力された信号に、ガードインターバルを付加し、送信電力調整部６２７に出力する。
【０１４０】
ランダムアクセスチャネル処理部６２９は、制御部４０５から指示されたプリアンブル系列を用いて、ＵＬ  ＣＣ内のＰＲＡＣＨで送信する信号を生成し、生成した信号を送信電力調整部６２７に出力する。送信電力調整部６２７は、ＧＩ挿入部６２５から入力された信号、またはランダムアクセスチャネル処理部６２９から入力された信号に対して、制御部４０５からの制御信号に基づき送信電力を調整してコンポーネントキャリア合成部６０３に出力する。なお、送信電力調整部６２７では、ＰＲＡＣＨ、ＰＵＳＣＨ、ＰＵＣＣＨ、上りリンクパイロットチャネルの平均送信電力が上りリンクサブフレーム毎に制御される。例えば、送信電力調整部６２７では、プリアンブル系列の再送の度に送信電力が大きくなるようにＰＲＡＣＨの送信電力を調整する。
【０１４１】
コンポーネントキャリア合成部６０３は、各上りリンクコンポーネントキャリア毎送信処理部６０１より入力されたＵＬ  ＣＣ毎の信号を合成し、Ｄ／Ａ部６０５に出力する。Ｄ／Ａ部６０５は、コンポーネントキャリア合成部６０３から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。なお、送信処理部４０７において、信号の送信タイミングは制御部４０５により制御される。
【０１４２】
＜上りリンクの送信タイミングの調整＞
上りリンクの送信タイミングの調整値は、第一のフォーマット（構造、種類、タイプ）、または第二のフォーマット（構造、種類、タイプ）のいずれか一方で構成（表現）される。第一のフォーマットは第二のフォーマットより構成されるビット数が多くて、上りリンクの送信タイミングの調整可能範囲が広い。例えば、第一のフォーマットは１１ビットにより構成され、第二のフォーマットは６ビットにより構成される。上りリンクの送信タイミングの調整に用いられる、最小時間単位をＴｓとする。例えば、Ｔｓとして、１／（１５０００×２０４８）秒が用いられる。例えば、第一のフォーマットは、０×Ｔｓ〜１２８２×Ｔｓの範囲で上りリンクの送信タイミングの調整が可能である。例えば、第二のフォーマットは、（−３１）×Ｔｓ〜３２×Ｔｓの範囲で上りリンクの送信タイミングの調整が可能である。
【０１４３】
Ｒａｎｄｏｍ  ＩＤを示す情報と共に示される上りリンクの送信タイミングの調整値を示す情報には、第一のフォーマットが用いられる。Ｃ−ＲＮＴＩを示す情報と共に示される上りリンクの送信タイミングの調整値を示す情報には、第一のフォーマット、または第二のフォーマットが用いられる。プリアンブル系列の送受信に対する応答としてＣ−ＲＮＴＩを示す情報と共に示される上りリンクの送信タイミングの調整値を示す情報には、第一のフォーマットが用いられ、プリアンブル系列の送受信に対する応答としてではなく、接続中の上りリンクの送信タイミングの微調整としてＣ−ＲＮＴＩを示す情報と共に示される上りリンクの送信タイミングの調整値を示す情報には、第二のフォーマットが用いられる。言い換えると、あるセルの上りリンクに対して、上りリンクの送信タイミングの初期設定時には上りリンクの送信タイミングの調整値に対して第一のフォーマットが用いられ、上りリンクの送信タイミングの初期設定が行なわれた後の上りリンクの送信タイミングの微調整時には上りリンクの送信タイミングの調整値に対して第二のフォーマットが用いられる。
【０１４４】
上りリンクの送信タイミングの調整値に対して第一のフォーマットを用いた上りリンクの送信タイミングの調整処理は、下りリンクの同期チャネルから検出した下りリンクの時間フレームのタイミングに基づく基準送信タイミングに対して、基地局装置３より示された送信タイミングの調整値を適用することにより行なわれる。例えば、移動局装置５は、基準送信タイミングより［（調整値）×１６×Ｔｓ］だけ早いタイミングを新規送信タイミングとして用いる。上りリンクの送信タイミングの調整値に対して第二のフォーマットを用いた上りリンクの送信タイミングの調整処理は、既に設定された送信タイミングに対して、基地局装置３より示された送信タイミングの調整値を適用することにより行なわれる。例えば、移動局装置５は、既に設定された送信タイミングに対して［（調整値）×１６×Ｔｓ］を調整したタイミングを新規送信タイミングとして用いる。
【０１４５】
図７は、本発明の実施形態に係る移動局装置５のＮｏｎ−ｃｏｎｔｅｎｔｉｏｎ  ｂａｓｅｄ  ｒａｎｄｏｍ  ａｃｃｅｓｓ手順に関する処理の一例を示すフローチャートである。移動局装置５は、ＰＤＣＣＨ  ｏｒｄｅｒによりＤｅｄｉｃａｔｅｄ  ｐｒｅａｍｂｌｅが割り当てられたか否かを判定する（ステップＳ１０１）。移動局装置５は、ＰＤＣＣＨ  ｏｒｄｅｒによりＤｅｄｉｃａｔｅｄ  ｐｒｅａｍｂｌｅが割り当てられたと判定した場合（ステップＳ１０１：ＹＥＳ）、Ｄｅｄｉｃａｔｅｄ  ｐｒｅａｍｂｌｅを送信する（ステップＳ１０２）。移動局装置５は、ＰＤＣＣＨ  ｏｒｄｅｒによりＤｅｄｉｃａｔｅｄ  ｐｒｅａｍｂｌｅが割り当てられていないと判定した場合（ステップＳ１０１：ＮＯ）、Ｎｏｎ−ｃｏｎｔｅｎｔｉｏｎ  ｂａｓｅｄ  ｒａｎｄｏｍ  ａｃｃｅｓｓ手順を終了する。移動局装置５は、ステップＳ１０２の後、第一のタイプのセルに対してＤｅｄｉｃａｔｅｄ  ｐｒｅａｍｂｌｅが割り当てられたか否かを判定する（ステップＳ１０３）。移動局装置５は、第一のタイプのセルに対してＤｅｄｉｃａｔｅｄ  ｐｒｅａｍｂｌｅが割り当てられたと判定した場合（ステップＳ１０３：ＹＥＳ）、Ｄｅｄｉｃａｔｅｄ  ｐｒｅａｍｂｌｅに対応するＲａｎｄｏｍ  ＩＤを示す情報（および／またはＲＡ−ＲＮＴＩを示す情報）と、第一のタイプのセルに対する上りリンクの送信タイミングの調整値を示す情報とを、所定の期間の間に受信したか否かを判定する（ステップＳ１０４）。移動局装置５は、第一のタイプのセルに対してＤｅｄｉｃａｔｅｄ  ｐｒｅａｍｂｌｅが割り当てられていないと判定した場合（ステップＳ１０３：ＹＥＳ）、つまり第二のタイプのセルに対してＤｅｄｉｃａｔｅｄ  ｐｒｅａｍｂｌｅが割り当てられたと判定した場合、自装置に予め割り当てられたＣ−ＲＮＴＩを示す情報と、第二のタイプのセルに対する上りリンクの送信タイミングの調整値を示す情報とを所定の期間の間に受信したか否かを判定する（ステップＳ１０５）。ステップＳ１０４において、移動局装置５は、Ｄｅｄｉｃａｔｅｄ  ｐｒｅａｍｂｌｅに対応するＲａｎｄｏｍ  ＩＤを示す情報（および／またはＲＡ−ＲＮＴＩを示す情報）と、第一のタイプのセルに対する上りリンクの送信タイミングの調整値を示す情報とを、所定の期間の間に受信したと判定した場合（ステップＳ１０４：ＹＥＳ）、Ｎｏｎ−ｃｏｎｔｅｎｔｉｏｎ  ｂａｓｅｄ  ｒａｎｄｏｍ  ａｃｃｅｓｓ手順を終了する。ステップＳ１０４において、移動局装置５は、Ｄｅｄｉｃａｔｅｄ  ｐｒｅａｍｂｌｅに対応するＲａｎｄｏｍ  ＩＤを示す情報（および／またはＲＡ−ＲＮＴＩを示す情報）と、第一のタイプのセルに対する上りリンクの送信タイミングの調整値を示す情報とを、所定の期間の間に受信していないと判定した場合（ステップＳ１０４：ＮＯ）、ステップＳ１０２に戻り、再度、Ｄｅｄｉｃａｔｅｄ  ｐｒｅａｍｂｌｅを送信する。ステップＳ１０５において、移動局装置５は、自装置に予め割り当てられたＣ−ＲＮＴＩを示す情報と、第二のタイプのセルに対する上りリンクの送信タイミングの調整値を示す情報とを所定の期間の間に受信したと判定した場合（ステップＳ１０５：ＹＥＳ）、Ｎｏｎ−ｃｏｎｔｅｎｔｉｏｎ  ｂａｓｅｄ  ｒａｎｄｏｍ  ａｃｃｅｓｓ手順を終了する。ステップＳ１０５において、自装置に予め割り当てられたＣ−ＲＮＴＩを示す情報と、第二のタイプのセルに対する上りリンクの送信タイミングの調整値を示す情報とを所定の期間の間に受信していないと判定した場合（ステップＳ１０５：ＮＯ）、ステップＳ１０２に戻り、再度、Ｄｅｄｉｃａｔｅｄ  ｐｒｅａｍｂｌｅを送信する。なお、Ｄｅｄｉｃａｔｅｄ  ｐｒｅａｍｂｌｅの再送回数が予め決めた値に到達した場合、Ｎｏｎ−ｃｏｎｔｅｎｔｉｏｎ  ｂａｓｅｄ  ｒａｎｄｏｍ  ａｃｃｅｓｓ手順を終了するようにしてもよい。
【０１４６】
図８は、本発明の実施形態に係る基地局装置３のＮｏｎ−ｃｏｎｔｅｎｔｉｏｎ  ｂａｓｅｄ  ｒａｎｄｏｍ  ａｃｃｅｓｓ手順に関する処理の一例を示すフローチャートである。基地局装置３は、ＰＤＣＣＨ  ｏｒｄｅｒによりＤｅｄｉｃａｔｅｄ  ｐｒｅａｍｂｌｅを移動局装置５に割り当てたか否かを判定する（ステップＴ１０１）。基地局装置３は、ＰＤＣＣＨ  ｏｒｄｅｒによりＤｅｄｉｃａｔｅｄ  ｐｒｅａｍｂｌｅを移動局装置５に割り当てたと判定した場合（ステップＴ１０１：ＹＥＳ）、Ｄｅｄｉｃａｔｅｄ  ｐｒｅａｍｂｌｅを受信（検出）する処理を実行する（ステップＴ１０２）。基地局装置３は、ＰＤＣＣＨ  ｏｒｄｅｒによりＤｅｄｉｃａｔｅｄ  ｐｒｅａｍｂｌｅを移動局装置５に割り当てていないと判定した場合（ステップＴ１０１：ＮＯ）、Ｎｏｎ−ｃｏｎｔｅｎｔｉｏｎ  ｂａｓｅｄ  ｒａｎｄｏｍ  ａｃｃｅｓｓ手順を終了する。ステップＴ１０２の後、基地局装置３は、Ｄｅｄｉｃａｔｅｄ  ｐｒｅａｍｂｌｅを受信したか否かを判定する（ステップＴ１０３）。基地局装置３は、Ｄｅｄｉｃａｔｅｄ  ｐｒｅａｍｂｌｅを受信したと判定した場合（ステップＴ１０３：ＹＥＳ）、第一のタイプのセルでＤｅｄｉｃａｔｅｄ  ｐｒｅａｍｂｌｅを受信したか否かを判定する（ステップＴ１０４）。基地局装置は、Ｄｅｄｉｃａｔｅｄ  ｐｒｅａｍｂｌｅを受信していないと判定した場合（ステップＴ１０３：ＮＯ）、ステップＴ１０２に戻り、再度、Ｄｅｄｉｃａｔｅｄ  ｐｒｅａｍｂｌｅを受信する処理を実行する。ステップＴ１０４において、基地局装置３は、第一のタイプのセルでＤｅｄｉｃａｔｅｄ  ｐｒｅａｍｂｌｅを受信したと判定した場合（ステップＴ１０４：ＹＥＳ）、Ｄｅｄｉｃａｔｅｄ  ｐｒｅａｍｂｌｅに対応するＲａｎｄｏｍ  ＩＤを示す情報（および／またはＲＡ−ＲＮＴＩを示す情報）と、第一のタイプのセルに対する上りリンクの送信タイミングの調整値を示す情報とを、移動局装置５に送信する（ステップＴ１０５）。ステップＴ１０４において、基地局装置３は、第一のタイプのセルでＤｅｄｉｃａｔｅｄ  ｐｒｅａｍｂｌｅを受信していないと判定した場合（ステップＴ１０４：ＮＯ）、つまり、第二のタイプのセルでＤｅｄｉｃａｔｅｄ  ｐｒｅａｍｂｌｅを受信したと判定した場合、移動局装置に予め割り当てたＣ−ＲＮＴＩを示す情報と、第二のタイプのセルに対する上りリンクの送信タイミングの調整値を示す情報とを、移動局装置５に送信する（ステップＴ１０６）。ステップＴ１０５、ステップＴ１０６の後、基地局装置３は、Ｎｏｎ−ｃｏｎｔｅｎｔｉｏｎ  ｂａｓｅｄ  ｒａｎｄｏｍ  ａｃｃｅｓｓ手順を終了する。なお、基地局装置３は、移動局装置５にＤｅｄｉｃａｔｅｄ  ｐｒｅａｍｂｌｅを割り当てた後、所定の期間の間にＤｅｄｉｃａｔｅｄ  ｐｒｅａｍｂｌｅを受信しなかった場合、Ｎｏｎ−ｃｏｎｔｅｎｔｉｏｎ  ｂａｓｅｄ  ｒａｎｄｏｍ  ａｃｃｅｓｓ手順を終了し、再度Ｄｅｄｉｃａｔｅｄ  ｐｒｅａｍｂｌｅの割り当てからＮｏｎ−ｃｏｎｔｅｎｔｉｏｎ  ｂａｓｅｄ  ｒａｎｄｏｍ  ａｃｃｅｓｓ手順を開始するようにしてもよい。
【０１４７】
以上のように、本発明の実施形態では、移動局装置５は、第一のタイプのセル、または第二のタイプのセルでの上りリンクの送信タイミングの調整値（ＴＡ）の推定に用いられる系列（Ｄｅｄｉｃａｔｅｄ  ｐｒｅａｍｂｌｅ）の送信処理において、第一のタイプのセルでＤｅｄｉｃａｔｅｄ  ｐｒｅａｍｂｌｅを送信した場合、Ｄｅｄｉｃａｔｅｄ  ｐｒｅａｍｂｌｅの送信に対する応答として、Ｄｅｄｉｃａｔｅｄ  ｐｒｅａｍｂｌｅに対応する識別子（Ｒａｎｄｏｍ  ＩＤ）を示す情報（および／またはＲＡ−ＲＮＴＩを示す情報）と、Ｄｅｄｉｃａｔｅｄ  ｐｒｅａｍｂｌｅを送信した第一のタイプのセルに対する上りリンクの送信タイミングの調整値を示す情報を基地局装置３より受信したら、Ｄｅｄｉｃａｔｅｄ  ｐｒｅａｍｂｌｅの送信処理を終了し、第二のタイプのセルでＤｅｄｉｃａｔｅｄ  ｐｒｅａｍｂｌｅを送信した場合、Ｄｅｄｉｃａｔｅｄ  ｐｒｅａｍｂｌｅの送信に対する応答として、自装置に予め割り当てられた移動局装置識別子（Ｃ−ＲＮＴＩ）を示す情報と、Ｄｅｄｉｃａｔｅｄ  ｐｒｅａｍｂｌｅを送信した第二のタイプのセルに対する上りリンクの送信タイミングの調整値を示す情報を基地局装置３より受信したら、Ｄｅｄｉｃａｔｅｄ  ｐｒｅａｍｂｌｅの送信処理を終了し、Ｄｅｄｉｃａｔｅｄ  ｐｒｅａｍｂｌｅを送信してから所定の期間の間に、Ｄｅｄｉｃａｔｅｄ  ｐｒｅａｍｂｌｅの送信に対する応答を基地局装置３より受信しなかったら、Ｄｅｄｉｃａｔｅｄ  ｐｒｅａｍｂｌｅを再度送信する送信処理を行うことにより、Ｃｒｏｓｓ  ｃａｒｒｉｅｒ  ｓｃｈｅｄｕｌｉｎｇが適用され、複数のセルで上りリンクの送信タイミングの調整値を測定することが必要なセルアグリゲーションにおいても適切にＮｏｎ−ｃｏｎｔｅｎｔｉｏｎ  ｂａｓｅｄ  ｒａｎｄｏｍ  ａｃｃｅｓｓ手順を実行することができる。移動局装置５は、少なくとも下りリンクにおいて他セル（他の基地局装置に管轄される、自セルと周波数帯域が重複するセル）からの干渉の大きなセル（第二のタイプのセル）に対する上りリンクの送信タイミングの調整値を示す情報を適切に受信することができ、基地局装置３でＤｅｄｉｃａｔｅｄ  ｐｒｅａｍｂｌｅが検出されなかった場合に、基地局装置３が移動局装置５に対してＤｅｄｉｃａｔｅｄ  ｐｒｅａｍｂｌｅの再割り当て、再送信指示を行うことなく、適切にＤｅｄｉｃａｔｅｄ  ｐｒｅａｍｂｌｅの再送を実行することができる。移動局装置５は下りリンクにおいて他セルからの干渉が大きくないセル（第一のタイプのセル）に対する上りリンクの送信タイミングの調整値を示す情報をＲＡ−ＲＮＴＩを示す情報と共に受信するので、基地局装置３は、同じＲＡ−ＲＮＴＩに対応するＰＲＡＣＨを用いてＮｏｎ−ｃｏｎｔｅｎｔｉｏｎ  ｂａｓｅｄ  ｒａｎｄｏｍ  ａｃｃｅｓｓ手順、またはＣｏｎｔｅｎｔｉｏｎ  ｂａｓｅｄ  ｒａｎｄｏｍ  ａｃｃｅｓｓ手順を実行した他の移動局装置５に対しても共通のＰＤＳＣＨを用いて上りリンクの送信タイミングの調整値を示す情報を通知することができ、ＰＤＣＣＨの使用を抑えることができ、通信システムの効率が劣化することを防ぐことができる。
【０１４８】
また、調整値は、第一のフォーマットと第二のフォーマットのいずれか一方で構成され、第一のフォーマットは第二のフォーマットよりも上りリンクの送信タイミングの調整可能範囲を示すビット数が多く、第二のタイプのセルに対する調整値は、Ｄｅｄｉｃａｔｅｄ  ｐｒｅａｍｂｌｅの送信に対する応答に含まれる場合は第一のフォーマットが用いられ、それ以外の場合は第二のフォーマットが用いられるようにすることにより、上りリンクの送信タイミングの調整値を示すために用いられるビット数を適切に抑えることができ、通信システムの効率が劣化することを防ぐことができる。
【０１４９】
また、本発明の実施形態では、基地局装置３は、第一のタイプのセル、または第二のタイプのセルでの上りリンクの送信タイミングの調整値（ＴＡ）の推定に用いられる系列（Ｄｅｄｉｃａｔｅｄ  ｐｒｅａｍｂｌｅ）の受信処理において、第一のタイプのセルでＤｅｄｉｃａｔｅｄ  ｐｒｅａｍｂｌｅを受信した場合、Ｄｅｄｉｃａｔｅｄ  ｐｒｅａｍｂｌｅの受信に対する応答として、Ｄｅｄｉｃａｔｅｄ  ｐｒｅａｍｂｌｅに対応する識別子（Ｒａｎｄｏｍ  ＩＤ）を示す情報（および／またはＲＡ−ＲＮＴＩを示す情報）と、Ｄｅｄｉｃａｔｅｄ  ｐｒｅａｍｂｌｅを受信した第一のタイプのセルに対する調整値を示す情報を移動局装置５に送信し、第二のタイプのセルでＤｅｄｉｃａｔｅｄ  ｐｒｅａｍｂｌｅを受信した場合、Ｄｅｄｉｃａｔｅｄ  ｐｒｅａｍｂｌｅの受信に対する応答として、移動局装置５に予め割り当てた移動局装置識別子（Ｃ−ＲＮＴＩ）を示す情報と、Ｄｅｄｉｃａｔｅｄ  ｐｒｅａｍｂｌｅを受信した第二のタイプのセルに対する調整値を示す情報を移動局装置５に送信し、調整値は、第一のフォーマットと第二のフォーマットのいずれか一方で構成され、第一のフォーマットは第二のフォーマットよりも上りリンクの送信タイミングの調整可能範囲を示すビット数が多く、第二のタイプのセルに対する調整値に関して、Ｄｅｄｉｃａｔｅｄ  ｐｒｅａｍｂｌｅの受信に対する応答に含める場合は第一のフォーマットを用い、それ以外の場合は第二のフォーマットを用いるようにすることにより、Ｃｒｏｓｓ  ｃａｒｒｉｅｒ  ｓｃｈｅｄｕｌｉｎｇが適用され、複数のセルで上りリンクの送信タイミングの調整値を測定することが必要なセルアグリゲーションにおいても適切にＮｏｎ−ｃｏｎｔｅｎｔｉｏｎ  ｂａｓｅｄ  ｒａｎｄｏｍ  ａｃｃｅｓｓ手順を実行することができる。
【０１５０】
また、移動局装置５とは、移動する端末に限らず、固定端末に移動局装置５の機能を実装することなどにより本発明を実現しても良い。
【０１５１】
以上説明した本発明の特徴的な手段は、集積回路に機能を実装し、制御することによっても実現することができる。すなわち、本発明の集積回路は、移動局装置に実装されることにより、前記移動局装置に複数の機能を発揮させる集積回路であって、第一のタイプのセルと第二のタイプのセルを用いて基地局装置と通信を行う機能と、前記第一のタイプのセル、または前記第二のタイプのセルでの上りリンクの送信タイミングの調整値の推定に用いられる系列の送信処理において、前記第一のタイプのセルで前記系列を送信した場合、前記系列の送信に対する応答として、前記系列に対応する識別子を示す情報と、前記系列を送信した前記第一のタイプのセルに対する前記調整値を示す情報を前記基地局装置より受信したら、前記系列の送信処理を終了する機能と、前記第二のタイプのセルで前記系列を送信した場合、前記系列の送信に対する応答として、自装置に予め割り当てられた移動局装置識別子を示す情報と、前記系列を送信した前記第二のタイプのセルに対する前記調整値を示す情報を前記基地局装置より受信したら、前記系列の送信処理を終了する機能と、前記系列を送信してから所定の期間の間に、前記系列の送信に対する応答を前記基地局装置より受信しなかったら、前記系列を再度送信する送信処理を行う機能と、を含む一連の機能を、前記移動局装置に発揮させることを特徴とする。
【０１５２】
本発明の実施形態に記載の動作をプログラムで実現してもよい。本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５３】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５４】
情報及び信号が、種々の異なるあらゆる技術及び方法を用いて示され得る。例えば上記説明を通して参照され得るチップ、シンボル、ビット、信号、情報、コマンド、命令、及びデータは、電圧、電流、電磁波、磁場または磁性粒子、光学場または光粒子、またはこれらの組み合わせによって示され得る。
【０１５５】
本明細書の開示に関連して述べられた種々の例示的な論理ブロック、処理部、及びアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、及びステップが、概してその機能性に関して述べられてきた。そのような機能性がハードウェアとして実装されるかソフトウェアとして実装されるかは、個々のアプリケーション、及びシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【０１５６】
本明細書の開示に関連して述べられた種々の例示的な論理ブロック、処理部は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１５７】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことが出来るように、プロセッサに結合され得る。別の方法では、記録媒体はプロセッサに一体化されても良い。プロセッサと記録媒体は、ＡＳＩＣ内にあっても良い。ＡＳＩＣは、移動局装置（ユーザ端末）内にあり得る。あるいは、プロセッサ及び記録媒体は、ディスクリート要素として移動局装置内にあっても良い。
【０１５８】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことが出来る。また、あらゆる接続が、適切にコンピュータ読み取り可能な媒体と呼ばれる。例えば、もしソフトウェアが同軸ケーブル、光ファイバケーブル、ツイストペア、デジタル加入者回線（ＤＳＬ）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（ｄｉｓｋ、ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、ブルーレイディスク、を含み、ディスク（ｄｉｓｋ）は、一般的に、磁気的にデータを再生する一方で、ディスク（ｄｉｓｃ）はレーザによって光学的にデータを再生する。上記のものを組み合わせたものもまた、コンピュータ読み取り可能な媒体に含まれるべきである。
【０１５９】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１６０】
３  基地局装置
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
３０１  受信ＲＦ部
３０３  Ａ／Ｄ部
３０５  コンポーネントキャリア分離部
３０７  上りリンクコンポーネントキャリア毎受信処理部
３０９  シンボルタイミング検出部
３１１  ＧＩ除去部
３１３  ＦＦＴ部
３１５  サブキャリアデマッピング部
３１７  伝搬路推定部
３１９  伝搬路等化部（ＰＵＳＣＨ用）
３２１  伝搬路等化部（ＰＵＣＣＨ用）
３２３  ＩＤＦＴ部
３２５  データ復調部
３２７  ターボ復号部
３２９  物理上りリンク制御チャネル検出部
３３１  プリアンブル検出部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（ＰＤＳＣＨ用）
５１７  物理下りリンク共用チャネル復号部
５１９  伝搬路補償部（ＰＤＣＣＨ用）
５２１  物理下りリンク制御チャネル復号部
５２３  データ復調部
５２５  ターボ復号部
５２７  ＱＰＳＫ復調部
５２９  ビタビデコーダ部
６０１  上りリンクコンポーネントキャリア毎送信処理部
６０３  コンポーネントキャリア合成部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２５  ＧＩ挿入部
６２７  送信電力調整部
６２９  ランダムアクセスチャネル処理部
４０５１  ランダムアクセス手順判断部
【図１】
2013005130.tif 000003
【図２】
2013005130.tif 000004
【図３】
2013005130.tif 000005
【図４】
2013005130.tif 000006
【図５】
2013005130.tif 000007
【図６】
2013005130.tif 000008
【図７】
2013005130.tif 000009
【図８】
2013005130.tif 000010
【図９】
2013005130.tif 000011
【図１０】
2013005130.tif 000012
【図１１】
2013005130.tif 000013